(57)【要約】【課題】適切な隣接セル情報を生成することにより、無線通信システムにおける動作の効率化を図ることが可能な隣接セル処理装置および隣接セル処理方法を提供する。【解決手段】隣接セル処理装置は、対象の無線基地局装置以外の複数の無線基地局装置から送信される無線信号の測定結果を示す測定情報を無線端末装置および無線基地局装置の少なくとも一方からの情報に基づいて取得するための測定情報取得部１１と、測定情報取得部１１によって取得された測定情報に基づいて、対象の無線基地局装置以外の複数の無線基地局装置のうち、対象の無線基地局装置の周辺に配置された１または複数の無線基地局装置を示す隣接セル情報を生成するための隣接セル情報生成部１２とを備える。【選択図】図４
2012060432.tif 000002
【特許請求の範囲】
【請求項１】
無線端末装置が移動動作を行なうことにより複数の無線基地局装置と通信可能な通信システムにおける隣接セル処理装置であって、
対象の前記無線基地局装置以外の複数の前記無線基地局装置から送信される無線信号の測定結果を示す測定情報を前記無線端末装置および前記無線基地局装置の少なくとも一方からの情報に基づいて取得するための測定情報取得部と、
前記測定情報取得部によって取得された前記測定情報に基づいて、対象の前記無線基地局装置以外の複数の前記無線基地局装置のうち、前記対象無線基地局装置の周辺に配置された１または複数の前記無線基地局装置を示す隣接セル情報を生成するための隣接セル情報生成部と、
前記隣接セル情報生成部によって生成された前記隣接セル情報を前記対象無線基地局装置または前記対象無線基地局装置と通信可能な無線端末装置へ送信するための隣接セル情報送信部とを備える、隣接セル処理装置。
【請求項２】
前記隣接セル情報生成部は、前記測定情報取得部によって取得された前記測定情報に基づいて、対象の前記無線基地局装置以外の複数の前記無線基地局装置を順位付けし、順位付けの結果に基づいた隣接セル情報を生成する、請求項１に記載の隣接セル処理装置。
【請求項３】
前記隣接セル情報生成部は、順位付けした複数の前記無線基地局装置のうち、上位からＮ個（Ｎは１以上の整数）の前記無線基地局装置を示す隣接セル情報を生成する、請求項２に記載の隣接セル処理装置。
【請求項４】
前記隣接セル情報生成部は、順位付けした前記無線基地局装置の順位をさらに示す隣接セル情報を生成する、請求項２または３に記載の隣接セル処理装置。
【請求項５】
前記測定情報取得部は、対象の前記無線基地局装置以外の複数の前記無線基地局装置から送信される無線信号の受信レベルを前記無線端末装置および前記無線基地局装置の少なくとも一方が測定した結果を示す測定情報を、前記無線端末装置および前記無線基地局装置の少なくとも一方からの情報に基づいて取得する、請求項１から４のいずれか１項に記載の隣接セル処理装置。
【請求項６】
前記隣接セル情報生成部は、前記測定情報取得部によって取得された前記測定情報に基づいて、対象の前記無線基地局装置以外の複数の前記無線基地局装置を順位付けし、前記順位付けにおいて、前記測定情報の示す前記受信レベルが大きい前記無線基地局装置の順位を、前記受信レベルが小さい前記無線基地局装置よりも上げる、請求項５に記載の隣接セル処理装置。
【請求項７】
前記隣接セル情報生成部は、前記対象無線基地局装置以外の複数の前記無線基地局装置の中から、前記測定情報の示す前記受信レベルが所定値未満となる前記無線基地局装置を少なくとも除いた前記隣接セル情報を生成する、請求項５に記載の隣接セル処理装置。
【請求項８】
前記測定情報取得部は、対象の前記無線基地局装置以外の複数の前記無線基地局装置から送信される無線信号に基づいて前記無線端末装置および前記無線基地局装置の少なくとも一方が前記無線基地局装置の存在を検出した回数を示す測定情報を、前記無線端末装置および前記無線基地局装置の少なくとも一方からの情報に基づいて取得する、請求項１から４のいずれか１項に記載の隣接セル処理装置。
【請求項９】
前記隣接セル情報生成部は、前記測定情報取得部によって取得された前記測定情報に基づいて、対象の前記無線基地局装置以外の複数の前記無線基地局装置を順位付けし、前記順位付けにおいて、前記測定情報の示す前記検出回数が多い前記無線基地局装置の順位を、前記検出回数が少ない前記無線基地局装置よりも上げる、請求項８に記載の隣接セル処理装置。
【請求項１０】
前記隣接セル情報生成部は、前記対象無線基地局装置以外の複数の前記無線基地局装置の中から、前記測定情報の示す前記検出回数が所定値未満となる前記無線基地局装置を少なくとも除いた前記隣接セル情報を生成する、請求項８に記載の隣接セル処理装置。
【請求項１１】
前記測定情報取得部は、対象の前記無線基地局装置以外の複数の前記無線基地局装置から送信される無線信号に基づいて前記無線端末装置および前記無線基地局装置の少なくとも一方が前記無線基地局装置の存在を検出する検出率を示す測定情報を、前記無線端末装置および前記無線基地局装置の少なくとも一方からの情報に基づいて取得する、請求項１から４のいずれか１項に記載の隣接セル処理装置。
【請求項１２】
前記隣接セル情報生成部は、前記測定情報取得部によって取得された前記測定情報に基づいて、対象の前記無線基地局装置以外の複数の前記無線基地局装置を順位付けし、前記順位付けにおいて、前記測定情報の示す前記検出率が大きい前記無線基地局装置の順位を、前記検出率が小さい前記無線基地局装置よりも上げる、請求項１１に記載の隣接セル処理装置。
【請求項１３】
前記隣接セル情報生成部は、前記対象無線基地局装置以外の複数の前記無線基地局装置の中から、前記測定情報の示す前記検出率が所定値未満となる前記無線基地局装置を少なくとも除いた前記隣接セル情報を生成する、請求項１１に記載の隣接セル処理装置。
【請求項１４】
前記測定情報取得部は、前記隣接セル情報に前記無線基地局装置が追加または残される根拠となった最新の前記測定結果が得られた測定時刻を示す測定情報を、前記無線端末装置および前記無線基地局装置の少なくとも一方からの情報に基づいて取得する、請求項１から４のいずれか１項に記載の隣接セル処理装置。
【請求項１５】
前記隣接セル情報生成部は、前記測定情報取得部によって取得された前記測定情報に基づいて、対象の前記無線基地局装置以外の複数の前記無線基地局装置を順位付けし、前記順位付けにおいて、前記測定時刻からの経過時間が長い前記無線基地局装置の順位を、前記測定時刻からの経過時間が短い前記無線基地局装置よりも下げる、請求項１４に記載の隣接セル処理装置。
【請求項１６】
前記隣接セル情報生成部は、前記対象無線基地局装置以外の複数の前記無線基地局装置の中から、前記測定時刻からの経過時間が所定値以上となる前記無線基地局装置を少なくとも除いた前記隣接セル情報を生成する、請求項１４に記載の隣接セル処理装置。
【請求項１７】
前記通信システムにおける前記複数の無線基地局装置のうちの少なくともいずれかはフェムト基地局である、請求項１から１６のいずれか１項に記載の隣接セル処理装置。
【請求項１８】
前記隣接セル情報生成部は、対象の前記無線基地局装置以外の複数の前記無線基地局装置のうち、前記対象無線基地局装置と通信する無線端末装置の移動先候補となる１または複数の前記無線基地局装置を示す隣接セル情報を生成する、請求項１から１７のいずれか１項に記載の隣接セル処理装置。
【請求項１９】
前記隣接セル情報生成部は、対象の前記無線基地局装置以外の複数の前記無線基地局装置のうち、前記無線端末装置の測定対象となる１または複数の前記無線基地局装置を示す隣接セル情報を生成する、請求項１から１７のいずれか１項に記載の隣接セル処理装置。
【請求項２０】
前記隣接セル情報生成部は、対象の前記無線基地局装置以外の複数の前記無線基地局装置のうち、前記無線端末装置が受信レベルを測定する対象となる無線信号を送信する１または複数の前記無線基地局装置を示す隣接セル情報を生成する、請求項１から１９のいずれか１項に記載の隣接セル処理装置。
【請求項２１】
前記隣接セル情報生成部は、対象の前記無線基地局装置以外の複数の前記無線基地局装置のうち、前記対象無線基地局装置と通信中でない前記無線端末装置が受信レベルを測定する対象となる無線信号を送信する１または複数の前記無線基地局装置を示す隣接セル情報を生成する、請求項２０に記載の隣接セル処理装置。
【請求項２２】
前記隣接セル情報生成部は、前記測定情報取得部によって取得された前記測定情報に基づいて、対象の前記無線基地局装置以外の複数の前記無線基地局装置を順位付けし、順位付けの結果に基づいた隣接セル情報を生成し、
前記隣接セル情報生成部は、前記対象無線基地局装置と通信する無線端末装置が、対象の前記無線基地局装置以外の前記無線基地局装置から送信される無線信号の受信レベルを複数の周波数において測定した結果に基づいて、前記隣接セル情報の初期情報を生成する、請求項１から２１のいずれか１項に記載の隣接セル処理装置。
【請求項２３】
前記隣接セル処理装置は、さらに、
前記対象無線基地局装置が、前記無線端末装置を登録することが可能であり、登録された前記無線端末装置および登録されていない前記無線端末装置の両方に対して通信を許可するハイブリッドモードで動作する場合には、登録されていない前記無線端末装置に対して、対象の前記無線基地局装置以外の前記無線基地局装置から送信される無線信号の受信レベルを前記複数の周波数において測定することを指示するための電力測定指示部を備える、請求項２２に記載の隣接セル処理装置。
【請求項２４】
前記隣接セル処理装置は、さらに、
前記対象無線基地局装置が、前記無線端末装置を登録することが可能であり、登録された前記無線端末装置および登録されていない前記無線端末装置の両方に対して通信を許可するハイブリッドモードで動作する場合には、登録された前記無線端末装置に対して、対象の前記無線基地局装置以外の前記無線基地局装置から送信される無線信号の受信レベルを前記複数の周波数において測定することを指示するための電力測定指示部を備える、請求項２２に記載の隣接セル処理装置。
【請求項２５】
前記隣接セル情報生成部は、前記対象無線基地局装置が、前記無線端末装置を登録することが可能であり、登録された前記無線端末装置および登録されていない前記無線端末装置の両方に対して通信を許可するハイブリッドモードで動作する場合には、登録された前記無線端末装置による前記測定結果を示す測定情報および登録されていない前記無線端末装置による前記測定結果を示す測定情報を重み付けし、重み付けした結果に基づいて前記隣接セル情報を生成する、請求項１から２４のいずれか１項に記載の隣接セル処理装置。
【請求項２６】
前記測定情報取得部は、現在から過去の一定期間における前記測定結果を示す測定情報を取得する、請求項１から２５のいずれか１項に記載の隣接セル処理装置。
【請求項２７】
前記隣接セル処理装置は、１または複数の前記無線基地局装置に含まれる、請求項１から２６のいずれか１項に記載の隣接セル処理装置。
【請求項２８】
無線端末装置が移動動作を行なうことにより複数の無線基地局装置と通信可能な通信システムにおける隣接セル処理方法であって、
対象の前記無線基地局装置以外の複数の前記無線基地局装置から送信される無線信号の測定結果を示す測定情報を前記無線端末装置および前記無線基地局装置の少なくとも一方からの情報に基づいて取得するステップと、
取得された前記測定情報に基づいて、対象の前記無線基地局装置以外の複数の前記無線基地局装置のうち、前記対象無線基地局装置の周辺に配置された１または複数の前記無線基地局装置を示す隣接セル情報を生成するステップと、
生成された前記隣接セル情報を前記対象無線基地局装置または前記対象無線基地局装置と通信可能な無線端末装置へ送信するステップとを含む、隣接セル処理方法。
【発明の詳細な説明】
【技術分野】
【０００１】
本発明は、隣接セル処理装置および隣接セル処理方法に関し、特に、無線端末装置が移動動作を行なうことにより複数の無線基地局装置と通信可能な通信システムにおける隣接セル処理装置および隣接セル処理方法に関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な宅内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
このような構成において、フェムト基地局を設置する際に１つ１つのフェムト基地局の設定を事業者またはフェムト基地局の購入者が行なっていくと、相当な作業と費用を要する。また、新たにフェムト基地局が設置されてフェムト基地局が増加するたびに、新たに設置されたフェムト基地局だけでなく、既存の周辺のフェムト基地局の再設定も行なわなければならなくなる。
【０００８】
このような問題点を解決するための構成として、たとえば、特許文献１には、以下のような技術が開示されている。すなわち、新たなセルは、既存のセルによって用いられている様々な異なるチャネルの信号強度を測定する。新たなセルは、大きな信号強度を持つチャネルに対応する候補チャネルのリストを作成し、このリストをセルラシステムの移動体交換センタに送信する。移動体交換センタは、どの候補チャネルが既存のセル内で用いられているビーコンに対応するかを決定し、新たなセルに、これら既存の各セルに関する構成情報を送信する。こうして、新たなセルは、隣接セルに関する構成情報を自動的に受信する。移動体交換センタが、識別されたネーバー（隣接セル）が最大値Ｎに達してないことを決定した場合は、移動体交換センタは、新たなセルに対して、追加の候補チャネル（つまり、より低い信号強度を持つ候補チャネル）を送信することを要請する。
【先行技術文献】
【特許文献】
【０００９】
【特許文献１】特開平１１―３３１９３１号公報
【発明の概要】
【発明が解決しようとする課題】
【００１０】
フェムト基地局の購入者は、当該フェムト基地局の設置場所を独自に決めることができる。このため、フェムト基地局が設置された無線通信システムでは、フェムト基地局の移動および電源のオン／オフが起こりやすいことから、周辺にフェムト基地局が存在する無線基地局装置において適切な隣接セル情報を生成することが困難となる。
【００１１】
たとえば、無線端末装置は、この隣接セル情報を用いて、自律的に、またはフェムト基地局からの指示に従い、隣接セル情報に登録されたフェムト基地局からの受信電力を測定し、この測定結果をフェムト基地局に報告する。この場合、ハンドオーバ先としては向かないフェムト基地局が隣接セル情報に登録されていると、無線端末装置が無駄な測定動作を行ない、また、無駄なハンドオーバが発生してしまう。
【００１２】
この発明は、上述の課題を解決するためになされたもので、その目的は、適切な隣接セル情報を生成することにより、無線通信システムにおける動作の効率化を図ることが可能な隣接セル処理装置および隣接セル処理方法を提供することである。
【課題を解決するための手段】
【００１３】
（１）上記課題を解決するために、この発明のある局面に係わる隣接セル処理装置は、無線端末装置が移動動作を行なうことにより複数の無線基地局装置と通信可能な通信システムにおける隣接セル処理装置であって、対象の上記無線基地局装置以外の複数の上記無線基地局装置から送信される無線信号の測定結果を示す測定情報を上記無線端末装置および上記無線基地局装置の少なくとも一方からの情報に基づいて取得するための測定情報取得部と、上記測定情報取得部によって取得された上記測定情報に基づいて、対象の上記無線基地局装置以外の複数の上記無線基地局装置のうち、上記対象無線基地局装置の周辺に配置された１または複数の上記無線基地局装置を示す隣接セル情報を生成するための隣接セル情報生成部と、上記隣接セル情報生成部によって生成された上記隣接セル情報を上記対象無線基地局装置または上記対象無線基地局装置と通信可能な無線端末装置へ送信するための隣接セル情報送信部とを備える。
【００１４】
このような構成により、無線基地局装置の移動および電源のオン／オフに関わらず、隣接セル情報を自動的に最適化することができるため、人手を介すことなく、無線通信システムにおける動作の効率化を図ることができる。また、自動的に隣接セル情報の最適化が行われることから、無線基地局装置に対する特別な設置処理が不要となるため、無線基地局装置を設置するための作業時間および費用の低減を図ることができる。
【００１５】
したがって、適切な隣接セル情報を生成することにより、無線通信システムにおける動作の効率化を図ることができる。
【００１６】
（２）好ましくは、上記隣接セル情報生成部は、上記測定情報取得部によって取得された上記測定情報に基づいて、対象の上記無線基地局装置以外の複数の上記無線基地局装置を順位付けし、順位付けの結果に基づいた隣接セル情報を生成する。
【００１７】
このような構成により、詳細な隣接セル情報を生成し、無線通信システムにおける動作のさらなる効率化を図ることができる。たとえば、無線基地局装置は、順位付け結果において上位の無線基地局装置を優先的に移動先として選択することにより、移動動作の成功率を高めることができる。
【００１８】
（３）より好ましくは、上記隣接セル情報生成部は、順位付けした複数の上記無線基地局装置のうち、上位からＮ個（Ｎは１以上の整数）の上記無線基地局装置を示す隣接セル情報を生成する。
【００１９】
このような構成により、たとえば無線端末装置に通知する隣接セル情報に含めることができる無線基地局装置の数に制限がある場合において、上位Ｎ個の無線基地局装置を隣接セル情報に含めることで、適切な隣接セル情報を無線端末装置に通知することが可能となる。
【００２０】
（４）より好ましくは、上記隣接セル情報生成部は、順位付けした上記無線基地局装置の順位をさらに示す隣接セル情報を生成する。
【００２１】
このような構成により、さらに詳細な隣接セル情報を生成し、無線通信システムにおける動作のさらなる効率化を図ることができる。たとえば、無線端末装置は、隣接セル情報における無線基地局装置の順位に従い、測定順序の決定、および測定対象の無線基地局装置の絞り込み等を行い、効率的な測定動作を行なうことができる。
【００２２】
（５）好ましくは、上記測定情報取得部は、対象の上記無線基地局装置以外の複数の上記無線基地局装置から送信される無線信号の受信レベルを上記無線端末装置および上記無線基地局装置の少なくとも一方が測定した結果を示す測定情報を、上記無線端末装置および上記無線基地局装置の少なくとも一方からの情報に基づいて取得する。
【００２３】
このように、隣接セル情報にどの無線基地局装置を含めるか、および無線基地局装置の順位付けの判断基準として受信レベルを用いることにより、適切な隣接セル情報を生成することができる。
【００２４】
（６）より好ましくは、上記隣接セル情報生成部は、上記測定情報取得部によって取得された上記測定情報に基づいて、対象の上記無線基地局装置以外の複数の上記無線基地局装置を順位付けし、上記順位付けにおいて、上記測定情報の示す上記受信レベルが大きい上記無線基地局装置の順位を、上記受信レベルが小さい上記無線基地局装置よりも上げる。
【００２５】
このような構成により、実際に測定した受信レベルに応じて無線基地局装置の順位付けを適切に行うことができる。
【００２６】
（７）より好ましくは、上記隣接セル情報生成部は、上記対象無線基地局装置以外の複数の上記無線基地局装置の中から、上記測定情報の示す上記受信レベルが所定値未満となる上記無線基地局装置を少なくとも除いた上記隣接セル情報を生成する。
【００２７】
このような構成により、実際に測定した受信レベルが低い無線基地局装置を隣接セル情報から適切に削除することができる。
【００２８】
（８）好ましくは、上記測定情報取得部は、対象の上記無線基地局装置以外の複数の上記無線基地局装置から送信される無線信号に基づいて上記無線端末装置および上記無線基地局装置の少なくとも一方が上記無線基地局装置の存在を検出した回数を示す測定情報を、上記無線端末装置および上記無線基地局装置の少なくとも一方からの情報に基づいて取得する。
【００２９】
このように、隣接セル情報にどの無線基地局装置を含めるか、および無線基地局装置の順位付けの判断基準として無線基地局装置を検出した回数を用いることにより、適切な隣接セル情報を生成することができる。
【００３０】
（９）より好ましくは、上記隣接セル情報生成部は、上記測定情報取得部によって取得された上記測定情報に基づいて、対象の上記無線基地局装置以外の複数の上記無線基地局装置を順位付けし、上記順位付けにおいて、上記測定情報の示す上記検出回数が多い上記無線基地局装置の順位を、上記検出回数が少ない上記無線基地局装置よりも上げる。
【００３１】
このような構成により、実際に存在が検出された実績に応じて無線基地局装置の順位付けを適切に行うことができる。すなわち、電源がオンされている無線基地局装置および電源がオフされている無線基地局装置を認識し、適切な隣接セル情報を生成することが可能となる。
【００３２】
（１０）より好ましくは、上記隣接セル情報生成部は、上記対象無線基地局装置以外の複数の上記無線基地局装置の中から、上記測定情報の示す上記検出回数が所定値未満となる上記無線基地局装置を少なくとも除いた上記隣接セル情報を生成する。
【００３３】
このような構成により、実際に検出された実績の少ない無線基地局装置を隣接セル情報から適切に削除することができる。すなわち、電源がオンされている無線基地局装置および電源がオフされている無線基地局装置を認識し、適切な隣接セル情報を生成することが可能となる。
【００３４】
（１１）好ましくは、上記測定情報取得部は、対象の上記無線基地局装置以外の複数の上記無線基地局装置から送信される無線信号に基づいて上記無線端末装置および上記無線基地局装置の少なくとも一方が上記無線基地局装置の存在を検出する検出率を示す測定情報を、上記無線端末装置および上記無線基地局装置の少なくとも一方からの情報に基づいて取得する。
【００３５】
このように、隣接セル情報にどの無線基地局装置を含めるか、および無線基地局装置の順位付けの判断基準として無線基地局装置の検出率を用いることにより、適切な隣接セル情報を生成することができる。ここで、検出率は、無線端末装置が測定を実施した回数に対する、当該無線端末装置が無線基地局装置の存在を検出した回数の割合である。
【００３６】
（１２）より好ましくは、上記隣接セル情報生成部は、上記測定情報取得部によって取得された上記測定情報に基づいて、対象の上記無線基地局装置以外の複数の上記無線基地局装置を順位付けし、上記順位付けにおいて、上記測定情報の示す上記検出率が大きい上記無線基地局装置の順位を、上記検出率が小さい上記無線基地局装置よりも上げる。
【００３７】
このような構成により、実際に存在が検出された実績に応じて無線基地局装置の順位付けを適切に行うことができる。すなわち、電源がオンされている無線基地局装置および電源がオフされている無線基地局装置を認識し、適切な隣接セル情報を生成することが可能となる。
【００３８】
（１３）より好ましくは、上記隣接セル情報生成部は、上記対象無線基地局装置以外の複数の上記無線基地局装置の中から、上記測定情報の示す上記検出率が所定値未満となる上記無線基地局装置を少なくとも除いた上記隣接セル情報を生成する。
【００３９】
このような構成により、実際に検出された実績の少ない無線基地局装置を隣接セル情報から適切に削除することができる。すなわち、電源がオンされている無線基地局装置および電源がオフされている無線基地局装置を認識し、適切な隣接セル情報を生成することが可能となる。
【００４０】
（１４）好ましくは、上記測定情報取得部は、上記隣接セル情報に上記無線基地局装置が追加または残される根拠となった最新の上記測定結果が得られた測定時刻を示す測定情報を、上記無線端末装置および上記無線基地局装置の少なくとも一方からの情報に基づいて取得する。
【００４１】
このように、隣接セル情報にどの無線基地局装置を含めるか、および無線基地局装置の順位付けの判断基準として測定時刻からの経過時間を用いることにより、現時点において存在する可能性の低い無線基地局装置を認識し、適切な隣接セル情報を生成することができる。
【００４２】
（１５）より好ましくは、上記隣接セル情報生成部は、上記測定情報取得部によって取得された上記測定情報に基づいて、対象の上記無線基地局装置以外の複数の上記無線基地局装置を順位付けし、上記順位付けにおいて、上記測定時刻からの経過時間が長い上記無線基地局装置の順位を、上記測定時刻からの経過時間が短い上記無線基地局装置よりも下げる。
【００４３】
このような構成により、現時点において存在する可能性に応じて無線基地局装置の順位付けを適切に行うことができる。
【００４４】
（１６）より好ましくは、上記隣接セル情報生成部は、上記対象無線基地局装置以外の複数の上記無線基地局装置の中から、上記測定時刻からの経過時間が所定値以上となる上記無線基地局装置を少なくとも除いた上記隣接セル情報を生成する。
【００４５】
このような構成により、現時点において存在する可能性の低い無線基地局装置を隣接セル情報から適切に削除することができる。
【００４６】
（１７）好ましくは、上記通信システムにおける上記複数の無線基地局装置のうちの少なくともいずれかはフェムト基地局である。
【００４７】
このように、無線基地局装置の移動および電源のオン／オフが頻繁に起こる無線通信システムにおいて適切な隣接セル情報を生成することにより、無線通信システムにおける動作の効率化を図るという効果をより顕著に得ることができる。
【００４８】
（１８）好ましくは、上記隣接セル情報生成部は、対象の上記無線基地局装置以外の複数の上記無線基地局装置のうち、上記対象無線基地局装置と通信する無線端末装置の移動先候補となる１または複数の上記無線基地局装置を示す隣接セル情報を生成する。
【００４９】
このような構成により、設置された無線基地局装置のセル内における移動動作を最適な状態にすることが可能となる。また、隣接セル情報の最適化を行なうことにより、通信中の無線端末装置の移動先候補となる隣接セルの数を低減することができるため、無駄な移動動作が発生することを防ぐことができる。
【００５０】
（１９）好ましくは、上記隣接セル情報生成部は、対象の上記無線基地局装置以外の複数の上記無線基地局装置のうち、上記無線端末装置の測定対象となる１または複数の上記無線基地局装置を示す隣接セル情報を生成する。
【００５１】
このように、隣接セル情報の最適化を行なうことにより、無線端末装置が測定を行なう対象となる隣接セルの数を低減することができるため、無線端末装置が無駄な測定動作を行なうことを防ぐことができる。
【００５２】
（２０）好ましくは、上記隣接セル情報生成部は、対象の上記無線基地局装置以外の複数の上記無線基地局装置のうち、上記無線端末装置が受信レベルを測定する対象となる無線信号を送信する１または複数の上記無線基地局装置を示す隣接セル情報を生成する。
【００５３】
このように、隣接セル情報の最適化を行なうことにより、無線端末装置が受信レベル測定を行なう対象となる隣接セルの数を低減することができるため、無線端末装置が無駄な測定動作を行なうことを防ぐことができる。
【００５４】
（２１）より好ましくは、上記隣接セル情報生成部は、対象の上記無線基地局装置以外の複数の上記無線基地局装置のうち、上記対象無線基地局装置と通信中でない上記無線端末装置が受信レベルを測定する対象となる無線信号を送信する１または複数の上記無線基地局装置を示す隣接セル情報を生成する。
【００５５】
このような構成により、無線基地局装置からの報知情報等によって指示される定期的な電力測定の対象となる隣接セルの数を低減することができるため、無線端末装置が無駄な測定動作を行なうことを防ぐことができる。特に、アイドル状態の無線端末装置の消費電力を低減することができるため、顕著な効果が得られる。
【００５６】
（２２）好ましくは、上記隣接セル情報生成部は、上記測定情報取得部によって取得された上記測定情報に基づいて、対象の上記無線基地局装置以外の複数の上記無線基地局装置を順位付けし、順位付けの結果に基づいた隣接セル情報を生成し、上記隣接セル情報生成部は、上記対象無線基地局装置と通信する無線端末装置が、対象の上記無線基地局装置以外の上記無線基地局装置から送信される無線信号の受信レベルを複数の周波数において測定した結果に基づいて、上記隣接セル情報の初期情報を生成する。
【００５７】
このような構成により、適切な隣接セル情報を早期に構築することが可能となり、無線通信システムにおける動作の効率化を早期に実現することができる。
【００５８】
（２３）より好ましくは、上記隣接セル処理装置は、さらに、上記対象無線基地局装置が、上記無線端末装置を登録することが可能であり、登録された上記無線端末装置および登録されていない上記無線端末装置の両方に対して通信を許可するハイブリッドモードで動作する場合には、登録されていない上記無線端末装置に対して、対象の上記無線基地局装置以外の上記無線基地局装置から送信される無線信号の受信レベルを上記複数の周波数において測定することを指示するための電力測定指示部を備える。
【００５９】
このような構成により、登録ユーザの所有する無線端末装置の電力が消費されることを防ぐことができるため、適切な通信サービスを提供することができる。
【００６０】
（２４）より好ましくは、上記隣接セル処理装置は、さらに、上記対象無線基地局装置が、上記無線端末装置を登録することが可能であり、登録された上記無線端末装置および登録されていない上記無線端末装置の両方に対して通信を許可するハイブリッドモードで動作する場合には、登録された上記無線端末装置に対して、対象の上記無線基地局装置以外の上記無線基地局装置から送信される無線信号の受信レベルを上記複数の周波数において測定することを指示するための電力測定指示部を備える。
【００６１】
このような構成により、無線端末装置を即時に充電できる環境を有していない場合が多い非登録ユーザの所有する無線端末装置の電力が消費されることを防ぐことができるため、適切な通信サービスを提供することができる。
【００６２】
（２５）好ましくは、上記隣接セル情報生成部は、上記対象無線基地局装置が、上記無線端末装置を登録することが可能であり、登録された上記無線端末装置および登録されていない上記無線端末装置の両方に対して通信を許可するハイブリッドモードで動作する場合には、登録された上記無線端末装置による上記測定結果を示す測定情報および登録されていない上記無線端末装置による上記測定結果を示す測定情報を重み付けし、重み付けした結果に基づいて上記隣接セル情報を生成する。
【００６３】
このような構成により、登録された無線端末装置および非登録の無線端末装置の別に応じた適切な隣接セル情報を生成することができる。
【００６４】
（２６）好ましくは、上記測定情報取得部は、現在から過去の一定期間における上記測定結果を示す測定情報を取得する。
【００６５】
このような構成により、たとえば電源がオフになった無線基地局装置の順位がいつまでも高いままになってしまうことを防ぐことができる。
【００６６】
（２７）好ましくは、上記隣接セル処理装置は、１または複数の上記無線基地局装置に含まれる。
【００６７】
このような構成により、たとえばゲートウェイ装置または上位装置で各無線基地局装置の隣接セル情報の最適化を行なう必要がなくなり、無線通信システムにおける処理負荷の分散、ならびに無線基地局装置とゲートウェイ装置または上位装置との間における通信量の低減を図ることができる。
【００６８】
（２８）上記課題を解決するために、この発明のある局面に係わる隣接セル処理方法は、無線端末装置が移動動作を行なうことにより複数の無線基地局装置と通信可能な通信システムにおける隣接セル処理方法であって、対象の上記無線基地局装置以外の複数の上記無線基地局装置から送信される無線信号の測定結果を示す測定情報を上記無線端末装置および上記無線基地局装置の少なくとも一方からの情報に基づいて取得するステップと、取得された上記測定情報に基づいて、対象の上記無線基地局装置以外の複数の上記無線基地局装置のうち、上記対象無線基地局装置の周辺に配置された１または複数の上記無線基地局装置を示す隣接セル情報を生成するステップと、生成された上記隣接セル情報を上記対象無線基地局装置または上記対象無線基地局装置と通信可能な無線端末装置へ送信するステップとを含む。
【００６９】
このような構成により、無線基地局装置の移動および電源のオン／オフに関わらず、隣接セル情報を自動的に最適化することができるため、人手を介すことなく、無線通信システムにおける動作の効率化を図ることができる。また、自動的に隣接セル情報の最適化が行われることから、無線基地局装置に対する特別な設置処理が不要となるため、無線基地局装置を設置するための作業時間および費用の低減を図ることができる。
【００７０】
したがって、適切な隣接セル情報を生成することにより、無線通信システムにおける動作の効率化を図ることができる。
【発明の効果】
【００７１】
本発明によれば、適切な隣接セル情報を生成することにより、無線通信システムにおける動作の効率化を図ることができる。
【図面の簡単な説明】
【００７２】
【図１】本発明の第１の実施の形態に係るフェムト基地局のアクセスモードと接続可能な無線端末装置との関係を示す図である。
【図２】本発明の第１の実施の形態に係る無線通信システムにおける無線基地局装置の配置例を示す図である。
【図３】本発明の第１の実施の形態に係る無線基地局装置の構成を示す図である。
【図４】本発明の第１の実施の形態に係る信号処理部の構成を示す図である。
【図５】本発明の第１の実施の形態に係る無線通信システムにおいて、無線基地局装置が初期の隣接セル情報を生成するシーケンスの一例を示す図である。
【図６】本発明の第１の実施の形態に係る無線通信システムにおいて、無線基地局装置が測定情報を取得するシーケンスの一例を示す図である。
【図７】本発明の第１の実施の形態に係る無線通信システムにおけるハンドオーバ動作のシーケンスの一例を示す図である。
【図８】図２に示す無線通信システムにおける、各無線基地局装置のセルＩＤおよび搬送周波数の一例を示す図である。
【図９】無線基地局装置が取得した測定情報の一例を示す図である。
【図１０】無線基地局装置の生成する隣接セル情報の一例を示す図である。
【図１１】無線基地局装置の生成する隣接セル情報の他の例を示す図である。
【図１２】本発明の第１の実施の形態に係る無線通信システムにおいて、無線基地局装置が隣接セル情報を無線端末装置へ通知する方法の一例を示す図である。
【図１３】本発明の第１の実施の形態に係る無線通信システムにおいて、無線基地局装置が隣接セル情報を無線端末装置へ通知する方法の一例を示す図である。
【図１４】本発明の第１の実施の形態に係る無線通信システムにおいて、無線基地局装置が隣接セル情報を無線端末装置へ通知する方法の一例を示す図である。
【図１５】無線端末装置２０２による測定結果の一例を示す図である。
【図１６】無線基地局装置が取得した測定情報の一例を示す図である。
【図１７】無線基地局装置の生成する隣接セル情報の一例を示す図である。
【図１８】無線基地局装置の生成する隣接セル情報の他の例を示す図である。
【図１９】無線基地局装置が取得した測定情報の一例を示す図である。
【図２０】無線基地局装置の生成する隣接セル情報の一例を示す図である。
【図２１】無線基地局装置の生成する隣接セル情報の他の例を示す図である。
【図２２】本発明の第４の実施の形態に係る無線通信システムの構成を示す図である。
【図２３】本発明の第４の実施の形態に係るゲートウェイ装置の構成を示す図である。
【図２４】本発明の第４の実施の形態に係るゲートウェイ装置におけるデータ処理部の構成を示す図である。
【図２５】本発明の第４の実施の形態に係るゲートウェイ装置が隣接セル情報を通知する方法を示す図である。
【発明を実施するための形態】
【００７３】
以下、本発明の実施の形態について図面を用いて説明する。なお、図中同一または相当部分には同一符号を付してその説明は繰り返さない。
【００７４】
＜第１の実施の形態＞
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行う。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行うかを選択することを意味する。
【００７５】
たとえば、無線端末装置が無線基地局装置と通信しているときには、無線端末装置の移動先は無線基地局装置またはコアネットワークにおける上位装置が決定する。また、無線端末装置が無線基地局装置と通信していないときには、無線端末装置の移動先は無線端末装置が決定する。
【００７６】
フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【００７７】
また、フェムトセルのアクセスモードにおいて、クローズドアクセスモードのフェムト基地局は、関連するＣＳＧ（Closed Subscriber Group）メンバーにのみサービスを提供する。また、ハイブリッドアクセスモードのフェムト基地局は、関連するＣＳＧメンバーおよびＣＳＧノンメンバーにサービスを提供する。また、オープンアクセスモードのフェムト基地局は、通常の基地局として動作する。
【００７８】
本発明の第１の実施の形態に係る無線通信システムにおいても、このような３ＧＰＰの定義を適用してもよい。
【００７９】
また、上記定義と合わせて、あるいは別個に、以下のような定義を適用することも可能である。
【００８０】
マクロ基地局は、事業者の管理下にあり、事業者と契約している無線基地局装置が通信可能な無線基地局装置である。また、マクロ基地局は、基本的に電源がオフになることはないと考えられる。
【００８１】
また、フェムト基地局は、主に個人または法人の建物内に設置され、ユーザの事情により電源がオフとなる可能性がある無線基地局装置である。
【００８２】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドアクセスモードで動作する場合には、登録済みのメンバー、および未登録のメンバーすなわちノンメンバーの両方にサービスを提供する。また、オープンアクセスモードで動作する場合には、マクロ基地局と同じ動作をする。
【００８３】
図１は、本発明の第１の実施の形態に係るフェムト基地局のアクセスモードと接続可能な無線端末装置との関係を示す図である。
【００８４】
図１を参照して、本発明の第１の実施の形態に係るフェムト基地局は、３つのアクセスモードを有する。すなわち、クローズドアクセスモードでは、フェムト基地局と接続可能な無線端末装置は登録済みの無線端末装置のみである。また、オープンアクセスモードでは、フェムト基地局と接続可能な無線端末装置はすべての無線端末装置であり、通常のマクロ基地局と同様である。また、ハイブリッドモードでは、フェムト基地局と接続可能な無線端末装置はすべての無線端末装置である。ただし、ハイブリッドモードでは、メンバーすなわち登録されている無線端末装置は、ノンメンバーすなわち登録されていない無線端末装置と比べて、フェムト基地局の通信リソースの割り当ておよび課金等で優遇される場合がある。
【００８５】
すなわち、本発明の第１の実施の形態に係るフェムト基地局は、すべての無線端末装置に対して通信を許可するオープンアクセスモードで動作するか、無線端末装置を登録することが可能であり、登録された無線端末装置に対して通信を許可するクローズドアクセスモードで動作するか、または無線端末装置を登録することが可能であり、登録された無線端末装置および登録されていない無線端末装置の両方に対して通信を許可するハイブリッドモードで動作するかを設定可能である。
【００８６】
クローズドアクセスモードのセルにおいては、無線端末装置が自立的に周辺セルを検出することが３ＧＰＰで規定されている。また、オープンアクセスモードのマクロセルにおいては、事業者が計画的に無線基地局装置を設置する場合には、周辺のマクロセルに関する情報も事業者が把握しており、無線基地局装置の設置時および保守時等に設定される。
【００８７】
ところで、ユーザは、フェムト基地局を任意の場所に設置できることから、フェムト基地局が現在地を把握することは困難である。このため、フェムト基地局において、周辺セルの情報を得ることも困難である。
【００８８】
前述のように、クローズドアクセスモードのセルにおける無線端末装置のフェムトセル検出方法および移動方法は３ＧＰＰで規定されている。しかしながら、マクロセルまたはフェムトセルから、マクロセルまたはオープンアクセスモードのフェムトセルへ無線端末装置が移動する場合には、移動元の無線基地局装置が移動先の無線基地局装置の情報を無線端末装置に通知する必要がある。
【００８９】
ここで、フェムト基地局はユーザによって独自に使用場所が決められるため、フェムト基地局の移動および電源のオン／オフが起こり得る。これにより、次の２つが課題となる。すなわち、フェムト基地局が現在地を把握できないので、周辺に配置されたセルの情報をＯＡＭ機能（保守機能）によって取得することが困難である。また、無線基地局装置の周辺にフェムト基地局が存在する場合であってフェムト基地局の電源がオフされているときには、無線端末装置は当該フェムト基地局へ移動することができないので、フェムト基地局の電源のオン／オフを検出する必要が生じてしまう。
【００９０】
なお、フェムト基地局がＧＰＳ（Global Positioning System）等を利用して現在地を特定できる場合には、フェムト基地局が事業者網に問い合わせを行い、地理的に近いセルの情報を取得することも考えられるが、精度の問題から、正確な位置を特定することは困難である。
【００９１】
［構成および基本動作］
図２は、本発明の第１の実施の形態に係る無線通信システムにおける無線基地局装置の配置例を示す図である。
【００９２】
図２を参照して、無線通信システム３０１は、たとえば３ＧＰＰで規格化されたＬＴＥ（Long Term Evolution）に従う移動体通信システムであり、無線基地局装置１０１Ａ，１０１Ｂ，１０１Ｃ，１０１Ｄ，１０１Ｅを備える。
【００９３】
無線通信システム３０１では、無線基地局装置１０１Ａ，１０１Ｃ，１０１Ｄ，１０１Ｅがフェムト基地局であり、無線基地局装置１０１Ｂがマクロ基地局である。
【００９４】
無線基地局装置１０１Ｂは、たとえば半径数キロメートルのマクロセルＭＣＢを形成する。また、無線基地局装置１０１Ａ，１０１Ｃ，１０１Ｄ，１０１Ｅは、たとえば半径数１０メートルのフェムトセルＦＣＡ，ＦＣＣ，ＦＣＤ，ＦＣＥをそれぞれ形成する。
【００９５】
ここでは、マクロ基地局１０１Ｂが形成するマクロセル内に、複数のフェムト基地局が存在する状態を考える。
【００９６】
無線基地局装置１０１Ｂは、マクロセルＭＣＢ内に存在する無線端末装置２０２と無線信号を送受信することにより、当該無線端末装置２０２と通信することが可能である。
【００９７】
無線基地局装置１０１Ａ，１０１Ｃ，１０１Ｄ，１０１Ｅは、宅内および地下街等、無線基地局装置１０１Ｂからの無線信号を無線端末装置２０２が受信しにくい場所に設置され、それぞれフェムトセルＦＣＡ，ＦＣＣ，ＦＣＤ，ＦＣＥ内に存在する無線端末装置２０２と無線信号を送受信することにより、当該無線端末装置２０２と通信することが可能である。
【００９８】
図２では、無線基地局装置１０１Ａおよび無線基地局装置１０１Ｃがそれそれ形成するフェムトセルＦＣＡ，ＦＣＣの各々の一部が重なり合っている。また、無線基地局装置１０１Ａおよび無線基地局装置１０１Ｄがそれぞれ形成するフェムトセルＦＣＡ，ＦＣＤの各々の一部が重なり合っている。また、無線基地局装置１０１Ａおよび無線基地局装置１０１Ｅがそれぞれ形成するフェムトセルＦＣＡ，ＦＣＥの各々の一部が重なり合っている。
【００９９】
現在、無線基地局装置１０１Ａと通信している無線端末装置２０２が存在し、この無線端末装置２０２は、無線基地局装置１０１Ａ，１０１Ｃ，１０１Ｄがそれぞれ形成するフェムトセルＦＣＡ，ＦＣＣ，ＦＣＤの重複部分に位置している。また、無線基地局装置１０１Ａ，１０１Ｅは、一方が他方の形成するセル内に位置する。
【０１００】
本発明の第１の実施の形態に係る無線通信システムでは、無線基地局装置１０１Ａ，１０１Ｂ，１０１Ｃ，１０１Ｄ，１０１Ｅが、それぞれ隣接セル処理装置として動作する。すなわち、無線基地局装置１０１Ａ，１０１Ｂ，１０１Ｃ，１０１Ｄ，１０１Ｅの各々は、単体で隣接セル情報の最適化を行なう。
【０１０１】
以下、無線基地局装置１０１Ａ，１０１Ｂ，１０１Ｃ，１０１Ｄ，１０１Ｅの各々を無線基地局装置１０１と称する場合がある。また、図２では、１つのマクロ基地局と、４つのフェムト基地局とを代表的に示しているが、少数またはさらに多数のマクロ基地局およびフェムト基地局が設けられてもよい。
【０１０２】
図３は、本発明の第１の実施の形態に係る無線基地局装置の構成を示す図である。
図３を参照して、無線基地局装置１０１は、アンテナ９１と、サーキュレータ９２と、無線受信部９３と、無線送信部９４と、信号処理部９５とを備える。信号処理部９５は、受信信号処理部９６と、送信信号処理部９７とを含む。信号処理部９５は、ＣＰＵ（Central Processing Unit）またはＤＳＰ（Digital Signal Processor）等によって実現される。
【０１０３】
サーキュレータ９２は、アンテナ９１において受信された無線端末装置２０２からの無線信号を無線受信部９３へ出力し、また、無線送信部９４から受けた無線信号をアンテナ９１へ出力する。
【０１０４】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０１０５】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク側へ送信する。
【０１０６】
送信信号処理部９７は、コアネットワーク側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【０１０７】
無線送信部９４は、送信信号処理部９７から受けたデジタル信号をアナログ信号に変換し、変換したアナログ信号を無線信号に周波数変換してサーキュレータ９２へ出力する。
【０１０８】
図４は、本発明の第１の実施の形態に係る信号処理部の構成を示す図である。
図４を参照して、受信信号処理部９６は、測定情報取得部１１と、隣接セル情報生成部１２とを含む。送信信号処理部９７は、隣接セル情報送信部１３と、電力測定指示部１４とを含む。
【０１０９】
測定情報取得部１１は、他の無線基地局装置１０１から送信される無線信号の測定結果を示す測定情報を他の無線基地局装置１０１および無線端末装置２０２の少なくとも一方からの情報に基づいて取得する。
【０１１０】
隣接セル情報生成部１２は、測定情報取得部１１によって取得された測定情報に基づいて、隣接セル情報を与える対象となる無線基地局装置（以下、対象基地局とも称する。）以外の無線通信システム３０１における複数の無線基地局装置１０１のうち、対象基地局の周辺に設置された１または複数の無線基地局装置１０１を示す隣接セル情報を生成する。本発明の第１の実施の形態に係る無線基地局装置では、対象基地局は自己の無線基地局装置１０１である。
【０１１１】
たとえば、隣接セル情報生成部１２は、対象基地局と通信する無線端末装置２０２のハンドオーバ先候補となる１または複数の無線基地局装置１０１を示す隣接セル情報を生成する。
【０１１２】
隣接セル情報送信部１３は、隣接セル情報生成部１２によって生成された隣接セル情報を自己の無線基地局装置１０１と通信可能な無線端末装置２０２、すなわち自己の無線基地局装置１０１によって形成されるセルに存在する無線端末装置２０２へ送信する。
【０１１３】
電力測定指示部１４は、他の無線基地局装置１０１から送信される無線信号の受信レベルを無線端末装置２０２に測定させるための測定開始要求を無線端末装置２０２へ送信する。
【０１１４】
［動作］
次に、本発明の第１の実施の形態に係る無線基地局装置が隣接セル情報を生成する際の動作について説明する。
【０１１５】
図５は、本発明の第１の実施の形態に係る無線通信システムにおいて、無線基地局装置が初期の隣接セル情報を生成するシーケンスの一例を示す図である。
【０１１６】
無線基地局装置１０１の起動時等、無線基地局装置１０１が隣接セル情報を有していない状態では、無線基地局装置１０１は、無線端末装置２０２に対して全周波数検索を指示する。たとえばＬＴＥでは、最初に無線端末装置２０２が当該無線基地局装置１０１とのＲＲＣ（Radio Resource Control）コネクションを確立した時、すなわち無線基地局装置１０１と通信を開始するための処理を完了した時に、当該無線基地局装置１０１は、当該無線端末装置２０２に対して全周波数検索を指示する。
【０１１７】
ここで、全周波数検索とは、無線通信システムにおいて設定されたすべての種類の送信周波数について、各無線基地局装置１０１からの無線信号の受信レベルを測定することを意味する。
【０１１８】
そして、無線基地局装置１０１は、無線端末装置２０２からの測定結果の報告に基づいて隣接セル情報を生成し、図示しない記憶部に保存する。
【０１１９】
より詳細には、図５を参照して、まず、無線基地局装置１０１Ａは、無線端末装置２０２の測定対象となる他の無線基地局装置を設定する（ステップＳ１０１）。
【０１２０】
次に、無線基地局装置１０１Ａは、設定した他の無線基地局装置から送信される無線信号の受信レベルを無線端末装置２０２に測定させるための測定開始要求を無線端末装置２０２へ送信する。この測定開始要求に、測定対象となる周波数および無線基地局装置の情報が含まれる（ステップＳ１０２）。
【０１２１】
次に、無線端末装置２０２は、無線基地局装置１０１Ａから測定開始要求を受信して、受信した測定開始要求の示す無線基地局装置から送信される無線信号の受信レベルを測定する（ステップＳ１０３）。
【０１２２】
次に、無線端末装置２０２は、この受信レベルの測定結果を示す測定結果通知を無線基地局装置１０１Ａへ送信する（ステップＳ１０４）。
【０１２３】
次に、無線基地局装置１０１Ａは、無線端末装置２０２から受信した測定結果通知に基づいて、初期の隣接セル情報を生成する（ステップＳ１０５）。
【０１２４】
なお、無線基地局装置１０１Ａは、起動時に限らず、一定期間ごとに最初にＲＲＣコネクションを確立した無線端末装置２０２に対して全周波数検索を指示してもよい。
【０１２５】
また、無線基地局装置１０１Ａがフェムト基地局であり、かつハイブリッドモードで動作する場合には、無線基地局装置１０１Ａは、たとえばノンメンバーの無線端末装置２０２がＲＲＣコネクションを確立する際に、当該無線端末装置２０２に対して全周波数検索を指示する。
【０１２６】
すなわち、電力測定指示部１４は、対象基地局がハイブリッドモードで動作する場合には、登録されていない無線端末装置２０２に対して、対象基地局以外の無線基地局装置１０１から送信される無線信号の受信レベルをすべての周波数において測定することを指示する。
【０１２７】
このような構成により、登録ユーザの所有する無線端末装置２０２の電力が消費される
ことを防ぐことができるため、適切な通信サービスを提供することができる。
【０１２８】
あるいは、電力測定指示部１４は、対象基地局がハイブリッドモードで動作する場合には、登録された無線端末装置２０２に対して、対象基地局以外の無線基地局装置１０１から送信される無線信号の受信レベルをすべての周波数において測定することを指示する構成であってもよい。
【０１２９】
このような構成により、無線端末装置２０２を即時に充電できる環境を有していない場合が多い非登録ユーザの所有する無線端末装置２０２の電力が消費されることを防ぐことができるため、適切な通信サービスを提供することができる。
【０１３０】
図６は、本発明の第１の実施の形態に係る無線通信システムにおいて、無線基地局装置が測定情報を取得するシーケンスの一例を示す図である。
【０１３１】
図６を参照して、まず、無線基地局装置１０１Ａは、自己と通信中の無線端末装置２０２の測定対象となる周波数と、測定セルすなわち当該周波数の無線信号を送信する他の無線基地局装置とを設定する（ステップＳ１１１）。
【０１３２】
次に、無線基地局装置１０１Ａは、設定した他の無線基地局装置から送信される無線信号の受信レベルを無線端末装置２０２に測定させるための測定開始要求を無線端末装置２０２へ送信する。この測定開始要求には、測定対象となる無線基地局装置１０１の情報すなわちセルＩＤが含まれる。この情報は、たとえば、図５に示すシーケンスによって生成した隣接セル情報である。また、この測定開始要求には、各無線基地局装置１０１の送信周波数が含まれる（ステップＳ１１２）。
【０１３３】
次に、無線端末装置２０２は、無線基地局装置１０１Ａから測定開始要求を受信して、受信した測定開始要求の示す周波数において、測定開始要求の示す無線基地局装置から送信される無線信号の受信レベルを測定する（ステップＳ１１３）。
【０１３４】
次に、無線端末装置２０２は、この受信レベルの測定結果を示す測定結果通知を無線基地局装置１０１Ａへ送信する。たとえば、無線端末装置２０２は、受信レベルの測定を定期的に行い、無線基地局装置１０１Ａとの通信状態が悪くなった場合、および無線基地局装置１０１Ａ以外の他の無線基地局装置１０１との通信状態が良くなった場合に、測定結果通知を無線基地局装置１０１Ａへ送信する（ステップＳ１１４）。
【０１３５】
次に、無線基地局装置１０１Ａは、無線端末装置２０２から受信した測定結果通知に基づいて、セルＩＤごとの測定結果を示す測定情報を取得し、図示しない記憶部に保存する（ステップＳ１１５）。
【０１３６】
なお、無線端末装置２０２は、無線基地局装置１０１から通知されていないセルを検出した場合には、検出したセルの測定結果も含めて無線基地局装置１０１に報告してもよい。
【０１３７】
また、無線基地局装置１０１は、無線通信システム３０１において利用可能なすべての周波数について測定を指示することにより、無線端末装置２０２に対して全周波数における周辺セルの検出および電力測定を行わせることも可能である。
【０１３８】
図７は、本発明の第１の実施の形態に係る無線通信システムにおけるハンドオーバ動作のシーケンスの一例を示す図である。
【０１３９】
図７を参照して、ステップＳ８１〜Ｓ８５の動作は図６に示すシーケンスにおけるステップＳ１１１〜Ｓ１１５と同様である。
【０１４０】
次に、無線基地局装置１０１Ａは、無線端末装置２０２から受信した測定結果通知に基づいて、当該無線端末装置２０２がハンドオーバすべきか否かを判断し、ハンドオーバすべきであると判断すると、隣接セル情報を参照してたとえば無線基地局装置１０１Ｂをハンドオーバ先として決定し、無線基地局装置１０１Ｂを示すハンドオーバ要求を上位装置へ送信する（ステップＳ８６）。
【０１４１】
ここで、本発明の第１の実施の形態に係る無線通信システムにおいて、ハンドオーバとは、通話中またはデータ通信中の無線端末装置２０２の通信相手となる無線基地局装置１０１が切り替えられることを意味する。
【０１４２】
次に、上位装置は、無線基地局装置１０１Ａからハンドオーバ要求を受信して、無線基地局装置１０１Ｂへ当該ハンドオーバ要求を送信する（ステップＳ８７）。
【０１４３】
次に、無線基地局装置１０１Ｂは、上位装置からハンドオーバ要求を受信して、上位装置へ当該ハンドオーバ要求に対するハンドオーバ応答を送信する（ステップＳ８８）。
【０１４４】
次に、上位装置は、無線基地局装置１０１Ｂからハンドオーバ応答を受信して、無線基地局装置１０１Ａへハンドオーバ指示を送信する（ステップＳ８９）。
【０１４５】
次に、無線基地局装置１０１Ａは、上位装置からハンドオーバ指示を受信して、無線端末装置２０２へＲＲＣコネクション再確立指示を送信する（ステップＳ９０）。
【０１４６】
次に、無線基地局装置１０１Ａは、上位装置へ自己の通信状態等を示す状態通知を送信する（ステップＳ９１）。
【０１４７】
次に、上位装置は、無線基地局装置１０１Ａから状態通知を受信して、無線基地局装置１０１Ｂへ無線端末装置２０２との通信内容等を示す状態通知を送信する（ステップＳ９２）。
【０１４８】
また、無線端末装置２０２および無線基地局装置１０１Ｂ間でＲＲＣコネクションが確立されると、無線端末装置２０２は、無線基地局装置１０１ＢへＲＲＣコネクション確立通知を送信する（ステップＳ９３）。
【０１４９】
次に、無線基地局装置１０１Ｂは、無線端末装置２０２からＲＲＣコネクション確立通知を受信して、上位装置へハンドオーバ完了通知を送信する（ステップＳ９４）。
【０１５０】
次に、上位装置は、無線基地局装置１０１Ｂからハンドオーバ完了通知を受信して、端末情報解放指示を無線基地局装置１０１Ａへ送信する（ステップＳ９５）。
【０１５１】
次に、無線基地局装置１０１Ａは、上位装置から端末情報解放指示を受信して、無線端末装置２０２に関する情報を解放し、上位装置へ端末情報解放完了通知を送信する（ステップＳ９６）。
【０１５２】
次に、図５に示すシーケンス等によって生成した隣接セル情報の更新方法について説明する。
【０１５３】
無線基地局装置１０１は、図示しない記憶部に保存された無線基地局装置のリストに対して、指標を用いて順位付けを行う。すなわち、隣接セル情報生成部１２は、測定情報取得部１１によって取得された測定情報に基づいて、対象基地局以外の複数の無線基地局装置１０１のうち、対象基地局の周辺に配置された１または複数の無線基地局装置１０１を順位付けした隣接セル情報を生成する。
【０１５４】
図８は、図２に示す無線通信システムにおける、各無線基地局装置のセルＩＤおよび搬送周波数の一例を示す図である。
【０１５５】
図８を参照して、無線基地局装置１０１ＡのセルＩＤが１１１１であり、無線基地局装置１０１Ａから送信される無線信号の搬送周波数がｆ１である。無線基地局装置１０１ＢのセルＩＤが２２２２であり、無線基地局装置１０１Ｂから送信される無線信号の搬送周波数がｆ１である。無線基地局装置１０１ＣのセルＩＤが３３３３であり、無線基地局装置１０１Ｃから送信される無線信号の搬送周波数がｆ１である。無線基地局装置１０１ＤのセルＩＤが４４４４であり、無線基地局装置１０１Ｄから送信される無線信号の搬送周波数がｆ２である。無線基地局装置１０１ＥのセルＩＤが５５５５であり、無線基地局装置１０１Ｅから送信される無線信号の搬送周波数がｆ２である。
【０１５６】
この場合、たとえば無線基地局装置１０１Ａは、たとえば図５に示すシーケンスによって生成した初期の隣接セル情報を参照して、周波数ｆ１で無線基地局装置１０１Ａ，１０１Ｂ，１０１Ｃから送信される無線信号を測定し、かつ周波数ｆ２で無線基地局装置１０１Ｄから送信される無線信号を測定するように無線端末装置２０２に指示する。
【０１５７】
そして、無線端末装置２０２は、図６に示すシーケンスに従い、無線基地局装置１０１Ａに測定結果を報告する、すなわち測定結果通知を無線基地局装置１０１Ａへ送信する。
【０１５８】
図９は、無線基地局装置が取得した測定情報の一例を示す図である。
図９を参照して、無線基地局装置１０１Ａでは、無線端末装置２０２から送信された測定結果通知に基づいて、セルＩＤが１１１１である無線基地局装置１０１Ａから送信される無線信号の受信レベルが１０であり、セルＩＤが２２２２である無線基地局装置１０１Ｂから送信される無線信号の受信レベルが８であり、セルＩＤが３３３３である無線基地局装置１０１Ｃから送信される無線信号の受信レベルが３であり、セルＩＤが４４４４である無線基地局装置１０１Ｄから送信される無線信号の受信レベルが４であることを示す測定情報が得られている。
【０１５９】
図１０は、無線基地局装置の生成する隣接セル情報の一例を示す図である。
図１０を参照して、無線基地局装置１０１Ａの取得した図９に示す測定情報から、受信レベルの大きさは、無線基地局装置１０１Ｂ、無線基地局装置１０１Ｄ、無線基地局装置１０１Ｃの順になる。このため、無線基地局装置１０１Ａは、この順番で隣接セル情報に無線基地局装置１０１Ｂ，１０１Ｄ，１０１Ｃを登録する。すなわち、無線基地局装置１０１Ａは、図５に示すシーケンスによって生成した初期の隣接セル情報を、周波数ｆ１での受信レベルが８でセルＩＤ２２２２（無線基地局装置１０１Ｂ）が１位であり、周波数ｆ２での受信レベルが４でセルＩＤ４４４４（無線基地局装置１０１Ｄ）が２位であり、周波数ｆ１での受信レベルが３でセルＩＤ３３３３（無線基地局装置１０１Ｃ）が３位であることを示す隣接セル情報に更新する。
【０１６０】
そして、無線基地局装置１０１Ａは、隣接セル情報を更新した場合には、たとえば、更新した隣接セル情報を各無線端末装置２０２に報知する。ここで、無線基地局装置１０１Ａは、たとえば順位付けした無線基地局装置のうち、上位からＮ個（Ｎは１以上の整数）を隣接セル情報として無線端末装置２０２に報知する。
【０１６１】
具体的には、無線端末装置２０２に通知する隣接セル情報に登録可能な無線基地局装置が２つと限定されている場合には、無線基地局装置１０１Ａは、セルＩＤ２２２２（無線基地局装置１０１Ｂ）が１位であり、セルＩＤ４４４４（無線基地局装置１０１Ｄ）が２位であることを示す隣接セル情報を各無線端末装置２０２に通知する。
【０１６２】
図１１は、無線基地局装置の生成する隣接セル情報の他の例を示す図である。
本発明の第１の実施の形態に係る無線通信システムでは、隣接セル情報生成部１２は、測定情報取得部１１によって取得された測定情報に基づいて、対象の無線基地局装置１０１以外の複数の無線基地局装置１０１を順位付けし、順位付けの結果に基づいた隣接セル情報を生成する構成であるとしたが、これに限定するものではない。
【０１６３】
隣接セル情報生成部１２は、受信レベルの大小による順位付けを行わず、測定情報取得部１１によって取得された測定情報に基づいて、対象基地局以外の複数の無線基地局装置１０１の中から、隣接セル情報に登録しない無線基地局装置１０１を決定する構成であってもよい。たとえば、隣接セル情報生成部１２は、受信レベルが所定の閾値未満である無線基地局装置１０１を少なくとも除いた隣接セル情報を生成する。
【０１６４】
図１１を参照して、たとえば、閾値が４である場合には、隣接セル情報生成部１２は、無線基地局装置１０１Ｃを除き、無線基地局装置１０１Ｂおよび１０１Ｄを隣接セル情報に登録する。そして、隣接セル情報送信部１３は、当該隣接セル情報を各無線端末装置２０２に通知する。
【０１６５】
［隣接セル情報の通知］
上述のように、無線基地局装置１０１は、測定情報の取得に伴い、隣接セル情報の最適化を行なう。そして、この最適化された隣接セル情報は無線端末装置２０２へ通知する必要がある。すなわち、無線基地局装置１０１における隣接セル情報送信部１３は、隣接セル情報生成部１２によって生成された隣接セル情報を対象基地局である自己の無線基地局装置１０１と通信可能な無線端末装置２０２へ送信する。この通知方法としては、たとえば以下の３つの方法が考えられる。
【０１６６】
図１２は、本発明の第１の実施の形態に係る無線通信システムにおいて、無線基地局装置が隣接セル情報を無線端末装置へ通知する方法の一例を示す図である。
【０１６７】
図１２を参照して、無線基地局装置１０１Ａは、アイドル状態すなわち通話およびデータ通信を行なっていない状態の無線端末装置２０２に対して、隣接セル情報を報知情報に含めて通知する。この場合、無線基地局装置１０１Ａは、報知情報変化通知を利用して、隣接セル情報が更新されたことを無線端末装置２０２に通知する。
【０１６８】
より詳細には、無線基地局装置１０１Ａは、隣接セル情報の最適化が発生すると（ステップＳ２７）、報知情報変化通知をフェムトセルＦＣＡに存在する各無線端末装置２０２へブロードキャストする（ステップＳ２８）。
【０１６９】
次に、無線基地局装置１０１Ａは、更新した隣接セル情報を含んだ報知情報をフェムトセルＦＣＡに存在する各無線端末装置２０２へブロードキャストする。そして、報知情報変化通知を受信した無線端末装置２０２は、無線基地局装置１０１Ａから送信される報知情報から隣接セル情報を読み出し、自ら保持している隣接セル情報を、読み出した隣接セル情報に更新する（ステップＳ２９）。
【０１７０】
次に、無線端末装置２０２は、自律的にまたは無線基地局装置１０１Ａから測定開始要求を受信して、更新した隣接セル情報の示す無線基地局装置１０１から送信される無線信号の受信レベルを測定する（ステップＳ３０）。
【０１７１】
図１３は、本発明の第１の実施の形態に係る無線通信システムにおいて、無線基地局装置が隣接セル情報を無線端末装置へ通知する方法の一例を示す図である。
【０１７２】
図１３を参照して、たとえばＬＴＥでは、ＲＲＣコネクションの確立処理を行なう無線端末装置２０２に対して、無線基地局装置１０１Ａは、無線データリンクを設定する際に隣接セル情報を通知する。
【０１７３】
より詳細には、まず、無線端末装置２０２および無線基地局装置１０１Ａ間で無線制御信号のリンク設定、すなわちＩＰ（Internet Protocol）パケット等の通信データを送受信する前段階の各種制御処理が行われる（ステップＳ３１）。
【０１７４】
次に、無線端末装置２０２および無線基地局装置１０１Ａ間でＮＡＳ（Non-Access Stratum）層のセキュリティ処理、すなわち通信の暗号化に必要な情報の送受信が行われる（ステップＳ３２）。たとえば、ＬＴＥでは、無線端末装置２０２は、コアネットワークにおける上位装置との間で当該情報をやりとりし、無線基地局装置１０１Ａは当該情報を中継する役割を果たす。
【０１７５】
次に、無線端末装置２０２および無線基地局装置１０１Ａ間で無線データリンクの設定が行われ、その後、無線端末装置２０２および無線基地局装置１０１Ａ間でＩＰパケット等の通信データが送受信される。また、無線基地局装置１０１Ａは、他の無線基地局装置１０１から送信される無線信号の受信レベルを無線端末装置２０２に測定させるための測定開始要求を無線端末装置２０２へ送信する（ステップＳ３３）。たとえば、ＬＴＥでは、無線基地局装置１０１Ａから無線端末装置２０２に通知される無線データリンクの設定要求に、当該測定開始要求が含まれる。そして、この測定開始要求に隣接セル情報が含まれる。
【０１７６】
次に、無線端末装置２０２は、無線基地局装置１０１Ａから測定開始要求を受信して、自ら保持している隣接セル情報を、新たに通知された隣接セル情報に更新し、更新した隣接セル情報の示す無線基地局装置１０１から送信される無線信号の受信レベルを測定する（ステップＳ３４）。
【０１７７】
図１４は、本発明の第１の実施の形態に係る無線通信システムにおいて、無線基地局装置が隣接セル情報を無線端末装置へ通知する方法の一例を示す図である。
【０１７８】
図１４を参照して、無線基地局装置１０１Ａは、自己と通信中の無線端末装置２０２に対して、測定変更要求を利用して隣接セル情報の更新を通知する。
【０１７９】
より詳細には、無線基地局装置１０１Ａは、隣接セル情報の最適化が発生すると（ステップＳ２７）、更新された隣接セル情報を測定変更要求に含めて無線端末装置２０２へ送信する（ステップＳ４１）。
【０１８０】
次に、無線端末装置２０２は、自ら保持している隣接セル情報を、無線基地局装置１０１Ａから受信した測定変更要求に含まれる隣接セル情報に変更し、変更した隣接セル情報の示す無線基地局装置１０１から送信される無線信号の受信レベルを測定する（ステップＳ４２）。
【０１８１】
ところで、フェムト基地局の購入者は、当該フェムト基地局の設置場所を独自に決めることができる。このため、フェムト基地局が設置された無線通信システムでは、フェムト基地局の移動および電源のオン／オフが起こりやすいことから、周辺にフェムト基地局が存在する無線基地局装置において適切な隣接セル情報を生成することが困難となる。
【０１８２】
たとえば、無線端末装置は、この隣接セル情報を用いて、自律的に、またはフェムト基地局からの指示に従い、隣接セル情報に登録されたフェムト基地局からの受信電力を測定し、この測定結果をフェムト基地局に報告する。この場合、ハンドオーバ先としては向かないフェムト基地局が隣接セル情報に登録されていると、無線端末装置が無駄な測定動作を行ない、また、無駄なハンドオーバが発生してしまう。
【０１８３】
これに対して、本発明の第１の実施の形態に係る無線通信システムでは、測定情報取得部１１は、対象基地局以外の複数の無線基地局装置１０１から送信される無線信号の測定結果を示す測定情報を、無線端末装置２０２からの情報すなわち測定結果通知に基づいて取得する。隣接セル情報生成部１２は、測定情報取得部１１によって取得された測定情報に基づいて、対象の無線基地局装置１０１以外の複数の無線基地局装置１０１のうち、対象基地局の周辺に配置された１または複数の無線基地局装置１０１を示す隣接セル情報を生成する。
【０１８４】
このような構成により、フェムト基地局の移動および電源のオン／オフに関わらず、隣接セル情報を自動的に最適化することができるため、人手を介すことなく、無線通信システム３０１における動作の効率化を図ることができる。また、自動的に隣接セル情報の最適化が行われることから、無線基地局装置１０１に対する特別な設置処理が不要となるため、無線基地局装置１０１を設置するための作業時間および費用の低減を図ることができる。
【０１８５】
また、本発明の第１の実施の形態に係る無線通信システムでは、隣接セル情報生成部１２は、測定情報取得部１１によって取得された測定情報に基づいて、対象基地局以外の複数の無線基地局装置１０１を順位付けし、順位付けの結果に基づいた隣接セル情報を生成する。
【０１８６】
このような構成により、詳細な隣接セル情報を生成し、無線通信システムにおける動作のさらなる効率化を図ることができる。たとえば、無線基地局装置１０１は、順位付け結果において上位の無線基地局装置を優先的にハンドオーバ先として選択することにより、ハンドオーバの成功率を高めることができる。
【０１８７】
また、本発明の第１の実施の形態に係る無線通信システムでは、隣接セル情報生成部１２は、順位付けした複数の無線基地局装置１０１のうち、上位からＮ個（Ｎは１以上の整数）の無線基地局装置を示す隣接セル情報を生成する。
【０１８８】
このような構成により、たとえば無線端末装置２０２に通知する隣接セル情報に含めることができる無線基地局装置の数に制限がある場合において、上位Ｎ個の無線基地局装置を隣接セル情報に含めることで、適切な隣接セル情報を無線端末装置２０２に通知することが可能となる。
【０１８９】
また、本発明の第１の実施の形態に係る無線通信システムでは、隣接セル情報生成部１２は、順位付けした無線基地局装置１０１の順位をさらに示す隣接セル情報を生成する。
【０１９０】
このような構成により、さらに詳細な隣接セル情報を生成し、無線通信システムにおける動作のさらなる効率化を図ることができる。たとえば、無線端末装置２０２は、隣接セル情報における無線基地局装置の順位に従い、測定順序の決定、および測定対象の無線基地局装置の絞り込み等を行い、効率的な測定動作を行うことができる。
【０１９１】
また、本発明の第１の実施の形態に係る無線通信システムでは、測定情報取得部１１は、対象の無線基地局装置１０１以外の複数の無線基地局装置１０１から送信される無線信号の受信レベルを無線端末装置２０２が測定した結果を示す測定情報を、無線端末装置２０２からの情報に基づいて取得する。
【０１９２】
このように、隣接セル情報にどの無線基地局装置を含めるか、および無線基地局装置の順位付けの判断基準として受信レベルを用いることにより、適切な隣接セル情報を生成することができる。
【０１９３】
また、本発明の第１の実施の形態に係る無線通信システムでは、隣接セル情報生成部１２は、無線基地局装置１０１の順位付けにおいて、測定情報の示す受信レベルが大きい無線基地局装置１０１の順位を、受信レベルが小さい無線基地局装置１０１よりも上げる。
【０１９４】
このような構成により、実際に測定した受信レベルに応じて無線基地局装置１０１の順位付けを適切に行うことができる。
【０１９５】
また、本発明の第１の実施の形態に係る無線通信システムでは、隣接セル情報生成部１２は、対象基地局以外の複数の無線基地局装置１０１の中から、測定情報の示す受信レベルが所定値未満となる無線基地局装置１０１を少なくとも除いた隣接セル情報を生成する。
【０１９６】
このような構成により、実際に測定した受信レベルが低い無線基地局装置１０１を隣接セル情報から適切に削除することができる。
【０１９７】
また、本発明の第１の実施の形態に係る無線通信システムにおける複数の無線基地局装置１０１のうちの少なくともいずれかはフェムト基地局である。
【０１９８】
このように、無線基地局装置の移動および電源のオン／オフが頻繁に起こる無線通信システムにおいて適切な隣接セル情報を生成することにより、無線通信システムにおける動作の効率化を図るという効果をより顕著に得ることができる。
【０１９９】
また、特許文献１に記載の技術を用いて自動的にフェムト基地局の設定を行なうと、周辺のフェムト基地局をすべて隣接セルとして扱って隣接セル情報に登録し、ハンドオーバ先の候補としてしまう。このため、無線端末装置に対してフェムト基地局が壁の向こう側に存在する等、本来ハンドオーバ先としては向かないフェムト基地局も隣接セル情報に登録してしまう可能性がある。
【０２００】
これに対して、本発明の第１の実施の形態に係る無線通信システムでは、隣接セル情報生成部１２は、測定情報取得部１１によって取得された測定情報に基づいて、対象基地局以外の複数の無線基地局装置１０１のうち、対象基地局と通信する無線端末装置２０２のハンドオーバ先候補となる１または複数の無線基地局装置１０１を示す隣接セル情報を生成する。
【０２０１】
このような構成により、設置された無線基地局装置１０１のフェムトセル内におけるハンドオーバ動作を最適な状態にすることが可能となる。また、隣接セル情報の最適化を行なうことにより、通信中の無線端末装置２０２のハンドオーバ先候補となる隣接セルの数を低減することができるため、無駄なハンドオーバが発生することを防ぐことができる。
【０２０２】
また、本発明の第１の実施の形態に係る無線通信システムでは、隣接セル情報生成部１２は、対象基地局以外の複数の無線基地局装置１０１のうち、無線端末装置２０２の測定対象となる１または複数の無線基地局装置１０１を示す隣接セル情報を生成する。
【０２０３】
このように、隣接セル情報の最適化を行なうことにより、無線端末装置２０２が測定を行なう対象となる隣接セルの数を低減することができるため、無線端末装置２０２が無駄な測定動作を行なうことを防ぐことができる。
【０２０４】
また、本発明の第１の実施の形態に係る無線通信システムでは、隣接セル情報生成部１２は、対象基地局以外の複数の無線基地局装置１０１のうち、無線端末装置２０２が受信レベルを測定する対象となる無線信号を送信する１または複数の無線基地局装置１０１を示す隣接セル情報を生成する。
【０２０５】
このように、隣接セル情報の最適化を行なうことにより、無線端末装置２０２が受信レベル測定を行なう対象となる隣接セルの数を低減することができるため、無線端末装置２０２が無駄な測定動作を行なうことを防ぐことができる。
【０２０６】
また、本発明の第１の実施の形態に係る無線通信システムでは、隣接セル情報生成部１２は、対象基地局以外の複数の無線基地局装置１０１のうち、アイドル状態すなわち対象基地局と通信中でない無線端末装置２０２が受信レベルを測定する対象となる無線信号を送信する１または複数の無線基地局装置１０１を示す隣接セル情報を生成する。
【０２０７】
このような構成により、無線基地局装置１０１からの報知情報等によって指示される定期的な電力測定の対象となる隣接セルの数を低減することができるため、無線端末装置２０２が無駄な測定動作を行なうことを防ぐことができる。特に、アイドル状態の無線端末装置２０２の消費電力を低減することができるため、顕著な効果が得られる。
【０２０８】
また、本発明の第１の実施の形態に係る無線通信システムでは、隣接セル情報生成部１２は、対象基地局と通信する無線端末装置２０２が、対象基地局以外の無線基地局装置１０１から送信される無線信号の受信レベルをすべての周波数について測定した結果に基づいて、隣接セル情報の初期情報を生成する。
【０２０９】
このような構成により、適切な隣接セル情報を早期に構築することが可能となり、無線通信システム３０１における動作の効率化を早期に実現することができる。
【０２１０】
また、本発明の第１の実施の形態に係る無線通信システムでは、無線基地局装置１０１が、単体で隣接セル情報の最適化を行なう。すなわち、本発明の第１の実施の形態に係る隣接セル処理装置は、無線基地局装置１０１に含まれる。
【０２１１】
このような構成により、たとえばコアネットワークにおける上位装置で各無線基地局装置１０１の隣接セル情報の最適化を行なう必要がなくなり、無線通信システム３０１における処理負荷の分散、ならびに無線基地局装置１０１および上位装置間における通信量の低減を図ることができる。
【０２１２】
なお、本発明の第１の実施の形態に係る無線通信システムでは、無線基地局装置１０１が無線端末装置２０２に受信電力を測定させる構成であるとしたが、これに限定するものではない。無線基地局装置１０１自身が他の無線基地局装置１０１からの無線信号の受信電力を測定することが可能である場合には、無線基地局装置１０１自身が受信電力の測定を行うことにより測定情報を取得してもよい。
【０２１３】
また、本発明の第１の実施の形態に係る無線通信システムでは、無線基地局装置１０１から送信された無線信号の受信レベルを、そのまま無線基地局装置の順位決めの指標にする構成であるとしたが、これに限定するものではない。たとえば、ある無線基地局装置１０１から送信された無線信号の受信レベル、および干渉源となる他の無線基地局装置１０１から送信された無線信号の受信レベルからＳＮＲ（Signal to Noise Ratio）を算出し、ＳＮＲを無線基地局装置の順位決めの指標にする構成であってもよい。また、ＳＮＲの代わりにＣＩＮＲ（carrier to interference and noise ratio）を無線基地局装置の順位決めの指標にする構成であってもよい。
【０２１４】
また、本発明の第１の実施の形態に係る無線基地局装置では、隣接セル情報生成部１２は、対象基地局と通信する無線端末装置２０２が、対象基地局以外の無線基地局装置１０１から送信される無線信号の受信レベルをすべての周波数について測定した結果に基づいて、隣接セル情報の初期情報を生成する構成であるとしたが、これに限定するものではない。無線通信システムにおける無線基地局装置１０１の送信周波数を全種類測定する構成に限らず、それらの一部である複数の周波数を測定する構成であってもよい。
【０２１５】
また、本発明の第１の実施の形態に係る無線通信システムでは、ハンドオーバの動作として、無線端末装置２０２の通信相手となる無線基地局装置１０１が無線基地局装置１０１主導で切り替えられる構成であるとしたが、これに限定するものではない。無線端末装置２０２の通信相手となる無線基地局装置１０１が無線端末装置２０２主導で切り替えられる構成であってもよい。
【０２１６】
また、本発明の第１の実施の形態では、無線端末装置のハンドオーバ動作について具体的な説明を行なったが、無線基地局装置と通信中の無線端末装置が行なう基地局間移動（セル間移動）動作であるハンドオーバに限らず、アイドル状態の無線端末装置が行なう基地局間移動（セル間移動）動作についても、本発明は適用される。すなわち、本発明の第１の実施の形態において、「ハンドオーバ」を「移動」に置き換えた構成および動作についても、本発明は適用される。
【０２１７】
次に、本発明の他の実施の形態について図面を用いて説明する。なお、図中同一または相当部分には同一符号を付してその説明は繰り返さない。
【０２１８】
＜第２の実施の形態＞
本実施の形態は、第１の実施の形態に係る無線通信システムと比べて測定情報の内容を変更した無線通信システムに関する。以下で説明する内容以外は第１の実施の形態に係る無線通信システムと同様である。
【０２１９】
本発明の第２の実施の形態に係る無線通信システムでは、測定情報取得部１１は、対象の無線基地局装置１０１以外の複数の無線基地局装置１０１から送信される無線信号に基づいて無線端末装置２０２が無線基地局装置１０１の存在を検出した回数、および無線端末装置２０２が無線基地局装置１０１の存在を検出する検出率を示す測定情報を、無線端末装置２０２からの情報に基づいて取得する。ここで、検出率は、無線端末装置２０２が測定を実施した回数に対する、当該無線端末装置２０２が無線基地局装置１０１の存在を検出した回数の割合である。
図１５は、無線端末装置２０２による測定結果の一例を示す図である。
【０２２０】
たとえば、無線基地局装置１０１Ａは、自己と通信中の無線端末装置２０２に対して全周波数検索を４回指示し、無線端末装置２０２において実施された４回分の全周波数検索による測定結果通知から、図１５に示すような測定結果を取得する。
【０２２１】
すなわち、無線端末装置２０２は、１回目の測定において無線端末装置２０２が無線基地局装置１０１Ｂ，１０１Ｃ，１０１Ｄを検出し、２回目の測定において無線端末装置２０２が無線基地局装置１０１Ｂ，１０１Ｃ，１０１Ｄ，１０１Ｅを検出し、３回目の測定において無線端末装置２０２が無線基地局装置１０１Ｂ，１０１Ｄを検出し、４回目の測定において無線端末装置２０２が無線基地局装置１０１Ｂを検出したことを示す測定結果通知を無線基地局装置１０１Ａへ送信する。
【０２２２】
図１６は、無線基地局装置が取得した測定情報の一例を示す図である。
図１６を参照して、無線基地局装置１０１Ａでは、無線端末装置２０２から送信された測定結果通知に基づいて、無線基地局装置１０１Ｂの検出回数が４であり、無線基地局装置１０１Ｂの検出率が１．００であり、無線基地局装置１０１Ｃの検出回数が２であり、無線基地局装置１０１Ｃの検出率が０．５０であり、無線基地局装置１０１Ｄの検出回数が３であり、無線基地局装置１０１Ｄの検出率が０．７５であり、無線基地局装置１０１Ｅの検出回数が１であり、無線基地局装置１０１Ｅの検出率が０．２５であることを示す測定情報が得られている。
【０２２３】
図１７は、無線基地局装置の生成する隣接セル情報の一例を示す図である。
図１７を参照して、無線基地局装置１０１Ａが取得した測定情報から、検出回数および検出率の大きさは、無線基地局装置１０１Ｂ、無線基地局装置１０１Ｄ、無線基地局装置１０１Ｃ、無線基地局装置１０１Ｅの順になる。このため、無線基地局装置１０１Ａは、この順番で隣接セル情報に無線基地局装置１０１Ｂ，１０１Ｄ，１０１Ｃ，１０１Ｅを登録する。すなわち、無線基地局装置１０１Ａは、図５に示すシーケンス等によって生成した初期の隣接セル情報を、周波数ｆ１での検出回数が４かつ検出率が１．００でセルＩＤ２２２２（無線基地局装置１０１Ｂ）が１位であり、周波数ｆ２での検出回数が３かつ検出率が０．７５でセルＩＤ４４４４（無線基地局装置１０１Ｄ）が２位であり、周波数ｆ１での検出回数が２かつ検出率が０．５０でセルＩＤ３３３３（無線基地局装置１０１Ｃ）が３位であり、周波数ｆ２での検出回数が１かつ検出率が０．２５でセルＩＤ５５５５（無線基地局装置１０１Ｅ）が４位であることを示す隣接セル情報に更新する。
【０２２４】
そして、無線基地局装置１０１Ａは、隣接セル情報を更新した場合には、たとえば、更新した隣接セル情報を各無線端末装置２０２に報知する。ここで、無線基地局装置１０１Ａは、たとえば順位付けした無線基地局装置のうち、上位からＮ個（Ｎは１以上の整数）を隣接セル情報として無線端末装置２０２に報知する。
【０２２５】
具体的には、無線端末装置２０２に通知する隣接セル情報に登録可能な無線基地局装置が２つと限定されている場合には、無線基地局装置１０１Ａは、セルＩＤ２２２２（無線基地局装置１０１Ｂ）が１位であり、セルＩＤ４４４４（無線基地局装置１０１Ｄ）が２位であることを示す隣接セル情報を各無線端末装置２０２に通知する。
【０２２６】
図１８は、無線基地局装置の生成する隣接セル情報の他の例を示す図である。
本発明の第２の実施の形態に係る無線通信システムでは、隣接セル情報生成部１２は、測定情報取得部１１によって取得された測定情報に基づいて、対象の無線基地局装置１０１以外の複数の無線基地局装置１０１を順位付けし、順位付けの結果に基づいた隣接セル情報を生成する構成であるとしたが、これに限定するものではない。
【０２２７】
隣接セル情報生成部１２は、検出回数または検出率の大小による順位付けを行わず、測定情報取得部１１によって取得された測定情報に基づいて、対象基地局以外の複数の無線基地局装置１０１の中から、隣接セル情報に登録しない無線基地局装置１０１を決定する構成であってもよい。すなわち、隣接セル情報生成部１２は、検出回数または検出率が所定の閾値未満である無線基地局装置１０１を少なくとも除いた隣接セル情報を生成する。
【０２２８】
図１８を参照して、たとえば、検出回数の閾値が２である場合には、隣接セル情報生成部１２は、無線基地局装置１０１Ｂ、１０１Ｃおよび１０１Ｄを隣接セル情報に登録する。
【０２２９】
また、たとえば、検出率の閾値が０．５０である場合には、隣接セル情報生成部１２は、無線基地局装置１０１Ｂ、１０１Ｃおよび１０１Ｄを隣接セル情報に登録する。
【０２３０】
そして、隣接セル情報送信部１３は、当該隣接セル情報を各無線端末装置２０２に通知する。
【０２３１】
上記のように、無線端末装置２０２で行われる測定がすべて全周波数検索である場合には、検出回数による隣接セル情報の順位および検出率による隣接セル情報の順位は同じ結果となるが、無線端末装置２０２で複数回行われた測定における測定対象周波数が異なる場合には、検出回数による隣接セル情報の順位および検出率による隣接セル情報の順位は異なる結果となる。
【０２３２】
以上のように、本発明の第２の実施の形態に係る無線通信システムでは、対象の無線基地局装置１０１以外の複数の無線基地局装置１０１から送信される無線信号の受信レベルを無線端末装置２０２が測定し、当該無線基地局装置の存在を検出する。そして、無線基地局装置１０１における測定情報取得部１１は、無線端末装置２０２が他の無線基地局装置１０１の存在を検出した回数を示す測定情報を、無線端末装置２０２からの情報に基づいて取得する。
【０２３３】
このように、隣接セル情報にどの無線基地局装置を含めるか、および無線基地局装置の順位付けの判断基準として無線基地局装置を検出した回数を用いることにより、適切な隣接セル情報を生成することができる。
【０２３４】
また、測定情報取得部１１は、対象の無線基地局装置１０１以外の複数の無線基地局装置１０１から送信される無線信号に基づいて無線端末装置２０２が無線基地局装置１０１の存在を検出する検出率を示す測定情報を、無線端末装置２０２からの情報に基づいて取得する。
【０２３５】
このように、隣接セル情報にどの無線基地局装置を含めるか、および無線基地局装置の順位付けの判断基準として無線基地局装置の検出率を用いることにより、適切な隣接セル情報を生成することができる。
【０２３６】
そして、無線基地局装置１０１は、無線端末装置２０２の測定による無線基地局装置の検出率すなわち検出回数／全周波数検索回数、または検出回数に基づいて、無線基地局装置の順位付けを行う。
【０２３７】
このような構成により、電源がオンされている無線基地局装置および電源がオフされている無線基地局装置を認識し、適切な隣接セル情報を生成することが可能となる。
【０２３８】
したがって、本発明の第２の実施の形態に係る無線通信システムでは、適切な隣接セル情報を生成することにより、無線通信システムにおける動作の効率化を図ることができる。
【０２３９】
また、本発明の第２の実施の形態に係る無線通信システムでは、隣接セル情報生成部１２は、無線基地局装置１０１の順位付けにおいて、測定情報の示す検出回数が多い無線基地局装置１０１の順位を、検出回数が少ない無線基地局装置１０１よりも上げる。
【０２４０】
このような構成により、実際に存在が検出された実績に応じて無線基地局装置１０１の順位付けを適切に行うことができる。
【０２４１】
また、本発明の第２の実施の形態に係る無線通信システムでは、隣接セル情報生成部１２は、対象基地局以外の複数の無線基地局装置１０１の中から、測定情報の示す検出回数が所定値未満となる無線基地局装置１０１を少なくとも除いた隣接セル情報を生成する。
【０２４２】
このような構成により、実際に検出された実績の少ない無線基地局装置１０１を隣接セル情報から適切に削除することができる。
【０２４３】
また、本発明の第２の実施の形態に係る無線通信システムでは、隣接セル情報生成部１２は、無線基地局装置１０１の順位付けにおいて、測定情報の示す検出率が大きい無線基地局装置１０１の順位を、検出率が小さい無線基地局装置１０１よりも上げる。
【０２４４】
このような構成により、実際に存在が検出された実績に応じて無線基地局装置１０１の順位付けを適切に行うことができる。
【０２４５】
また、本発明の第２の実施の形態に係る無線通信システムでは、隣接セル情報生成部１２は、対象基地局以外の複数の無線基地局装置１０１の中から、測定情報の示す検出率が所定値未満となる無線基地局装置１０１を少なくとも除いた隣接セル情報を生成する。
【０２４６】
このような構成により、実際に検出された実績の少ない無線基地局装置１０１を隣接セル情報から適切に削除することができる。
【０２４７】
なお、本発明の第２の実施の形態に係る無線通信システムでは、隣接セル情報生成部１２は、検出回数および検出率に基づいて隣接セル情報を生成する構成であるとしたが、これに限定するものではない。隣接セル情報生成部１２が、検出回数および検出率の少なくとも一方に基づいて隣接セル情報を生成する構成であればよい。
【０２４８】
また、本発明の第２の実施の形態に係る無線通信システムでは、無線端末装置２０２が無線基地局装置１０１を検出する構成であるとしたが、これに限定するものではない。無線基地局装置１０１自身が他の無線基地局装置１０１を検出することが可能である場合には、無線基地局装置１０１自身が無線基地局装置の検出および測定を行うことにより測定情報を取得してもよい。
【０２４９】
また、測定情報取得部１１は、現在から過去の一定期間における測定結果を示す測定情報を取得する、すなわち、無線基地局装置１０１は、現在から過去の一定期間における測定履歴に基づいて隣接セル情報を生成してもよい。
【０２５０】
たとえば、無線基地局装置１０１は、現在時刻から１日前までの期間における測定履歴に基づいて隣接セル情報を生成してもよい。また、無線基地局装置１０１は、所定回数分の測定履歴に基づいて隣接セル情報を生成してもよい。たとえば、無線基地局装置１０１は、過去の最新３０回分の測定履歴に基づいて隣接セル情報を生成してもよい。このような構成により、たとえば電源がオフになった無線基地局装置１０１の順位がいつまでも高いままになってしまうことを防ぐことができる。
【０２５１】
次に、本発明の他の実施の形態について図面を用いて説明する。なお、図中同一または相当部分には同一符号を付してその説明は繰り返さない。
【０２５２】
＜第３の実施の形態＞
本実施の形態は、第１の実施の形態に係る無線通信システムと比べて測定情報の内容を変更した無線通信システムに関する。以下で説明する内容以外は第１の実施の形態に係る無線通信システムと同様である。
【０２５３】
本発明の第３の実施の形態に係る無線通信システムでは、無線基地局装置１０１は、自己または無線端末装置２０２が、無線基地局装置１０１を検出した記録を保存する。すなわち、測定情報取得部１１は、隣接セル情報に無線基地局装置１０１が追加または残される根拠となった最新の測定結果が得られた測定時刻を示す測定情報を、無線端末装置２０２からの情報に基づいて取得する。
【０２５４】
これにより、無線基地局装置１０１は、１回以上検出した無線基地局装置１０１についての、検出記録の最終更新時間を測定情報として取得することができる。すなわち、最終更新時間は、対象基地局または無線端末装置２０２が対象基地局以外の無線基地局装置１０１を測定することができた時刻、すなわち無線基地局装置１０１から送信される無線信号の受信レベルが所定の閾値以上であった時刻である。
【０２５５】
ここで、最終更新時間からの経過時間が長い無線基地局装置１０１は、現在も周辺に存在する可能性が低く、測定できる可能性が低いと考えられる。このため、無線基地局装置１０１は、最終更新時間からの経過時間に基づいて無線基地局装置１０１の順位付けを行う。
【０２５６】
図１９は、無線基地局装置が取得した測定情報の一例を示す図である。
図１９を参照して、無線基地局装置１０１Ａでは、１回目の測定が２０１０年６月１４日の１５時１２分に行われ、この１回目の測定において無線端末装置２０２が無線基地局装置１０１Ｂ，１０１Ｃ，１０１Ｄを検出し、２回目の測定が２０１０年６月１４日の２３時５０分に行われ、この２回目の測定において無線端末装置２０２が無線基地局装置１０１Ｂ，１０１Ｃ，１０１Ｄ，１０１Ｅを検出し、３回目の測定が２０１０年６月１５日の６時３０分に行われ、この３回目の測定において無線端末装置２０２が無線基地局装置１０１Ｂ，１０１Ｄを検出し、４回目の測定が２０１０年６月１５日の１６時２０分に行われ、この４回目の測定において無線端末装置２０２が無線基地局装置１０１Ｂを検出したことを示す測定情報が得られている。
【０２５７】
図２０は、無線基地局装置の生成する隣接セル情報の一例を示す図である。
図２０を参照して、無線基地局装置１０１Ａが取得した測定情報から、４回目の測定を終えた時点での最終更新時間すなわち最終検出時間からの経過時間は、無線基地局装置１０１Ｂ、無線基地局装置１０１Ｄ、無線基地局装置１０１Ｃ、無線基地局装置１０１Ｅの順番で短い。このため、無線基地局装置１０１Ａは、この順番で隣接セル情報に無線基地局装置１０１Ｂ，１０１Ｄ，１０１Ｃ，１０１Ｅを登録する。
【０２５８】
すなわち、無線基地局装置１０１Ａは、図５に示すシーケンス等によって生成した初期の隣接セル情報を、最終検出時間が２０１０年６月１５日の１６時２０分で経過時間が０分０秒であるセルＩＤ２２２２（無線基地局装置１０１Ｂ）が１位であり、最終検出時間が２０１０年６月１５日の６時３０分で経過時間が９分５０秒であるセルＩＤ４４４４（無線基地局装置１０１Ｄ）が２位であり、最終検出時間が２０１０年６月１４日の２３時５０分で経過時間が１６分３０秒であるセルＩＤ３３３３（無線基地局装置１０１Ｃ）が３位であり、最終検出時間が２０１０年６月１４日の２３時５０分で経過時間が１６分３０秒であるセルＩＤ５５５５（無線基地局装置１０１Ｅ）が４位であることを示す隣接セル情報に更新する。
【０２５９】
そして、無線基地局装置１０１Ａは、隣接セル情報を更新した場合には、たとえば、更新した隣接セル情報を各無線端末装置２０２に報知する。ここで、無線基地局装置１０１Ａは、たとえば順位付けした無線基地局装置のうち、上位からＮ個（Ｎは１以上の整数）を隣接セル情報として無線端末装置２０２に報知する。
【０２６０】
具体的には、無線端末装置２０２に通知する隣接セル情報に登録可能な無線基地局装置が２つと限定されている場合には、無線基地局装置１０１Ａは、セルＩＤ２２２２（無線基地局装置１０１Ｂ）が１位であり、セルＩＤ４４４４（無線基地局装置１０１Ｄ）が２位であることを示す隣接セル情報を各無線端末装置２０２に通知する。
【０２６１】
図２１は、無線基地局装置の生成する隣接セル情報の他の例を示す図である。
本発明の第３の実施の形態に係る無線通信システムでは、隣接セル情報生成部１２は、測定情報取得部１１によって取得された測定情報に基づいて、対象の無線基地局装置１０１以外の複数の無線基地局装置１０１を順位付けし、順位付けの結果に基づいた隣接セル情報を生成する構成であるとしたが、これに限定するものではない。
【０２６２】
隣接セル情報生成部１２は、測定時刻からの経過時間の長短による順位付けを行わず、測定情報取得部１１によって取得された測定情報に基づいて、対象基地局以外の複数の無線基地局装置１０１の中から、隣接セル情報に登録しない無線基地局装置１０１を決定する構成であってもよい。すなわち、隣接セル情報生成部１２は、測定時刻からの経過時間が所定の閾値以上である無線基地局装置１０１を少なくとも除いた隣接セル情報を生成する。
【０２６３】
図２１を参照して、たとえば、最終更新時間からの経過時間の閾値が１０分である場合には、隣接セル情報生成部１２は、無線基地局装置１０１Ｂおよび１０１Ｄを隣接セル情報に登録する。そして、隣接セル情報送信部１３は、当該隣接セル情報を各無線端末装置２０２に通知する。
【０２６４】
このように、本発明の第３の実施の形態に係る無線通信システムでは、測定情報取得部１１は、さらに、隣接セル情報に無線基地局装置１０１が追加または残される根拠となった最新の測定結果が得られた測定時刻を示す測定情報を、無線端末装置２０２からの情報に基づいて取得する。
【０２６５】
すなわち、隣接セル情報にどの無線基地局装置を含めるか、および無線基地局装置の順位付けの判断基準として測定時刻からの経過時間を用いることにより、現時点において存在する可能性の低い無線基地局装置を認識し、適切な隣接セル情報を生成することができる。
【０２６６】
したがって、本発明の第３の実施の形態に係る無線通信システムでは、適切な隣接セル情報を生成することにより、無線通信システムにおける動作の効率化を図ることができる。
【０２６７】
また、本発明の第３の実施の形態に係る無線通信システムでは、隣接セル情報生成部１２は、無線基地局装置１０１の順位付けにおいて、測定時刻からの経過時間が長い無線基地局装置１０１の順位を、測定時刻からの経過時間が短い無線基地局装置１０１よりも下げる。すなわち、無線基地局装置１０１は、最終更新時間から所定時間以上経過している無線基地局装置は、その存在が保証できないと判断し、順位を下げる。
【０２６８】
このような構成により、現時点において存在する可能性に応じて無線基地局装置１０１の順位付けを適切に行うことができる。
【０２６９】
また、本発明の第３の実施の形態に係る無線通信システムでは、隣接セル情報生成部１２は、対象基地局以外の複数の無線基地局装置１０１の中から、測定時刻からの経過時間が所定値以上となる無線基地局装置１０１を少なくとも除いた隣接セル情報を生成する。すなわち、無線基地局装置１０１は、最終更新時間から時間が経過している無線基地局装置ほど、その存在が保証できないと判断し、隣接セル情報から削除する。
【０２７０】
このような構成により、現時点において存在する可能性の低い無線基地局装置１０１を隣接セル情報から適切に削除することができる。
【０２７１】
なお、本発明の第３の実施の形態に係る無線通信システムでは、測定情報取得部１１は、無線端末装置２０２が無線基地局装置１０１を検出した記録を測定情報として取得する構成であるとしたが、これに限定するものではない。無線基地局装置１０１自身が他の無線基地局装置１０１を検出することが可能である場合には、無線基地局装置１０１自身が他の無線基地局装置１０１を検出した記録を測定情報として取得する構成であってもよい。
【０２７２】
また、本発明の第１〜第３の実施の形態に係る無線通信システムにおいて、無線基地局装置１０１が新規基地局を発見した場合には、当該無線基地局装置１０１は、一定期間もしくは新規基地局に対する測定回数が所定値に達するまで、新規基地局を隣接セル情報に加え続け、この隣接セル情報を無線端末装置２０２に通知してもよい。この場合、無線基地局装置１０１は、隣接セル情報において既にリストされている無線基地局装置はそのまま残し、隣接セル情報にリストする基地局数を一時的に増やしてもよい。
【０２７３】
また、本発明の第１〜第３の実施の形態に係る無線通信システムにおいて、無線基地局装置１０１は、ハイブリッドモードで動作する場合には、メンバー／ノンメンバーの別に応じた重みづけを受信レベル、検出回数、検出率および経過時間に対して行ってもよい。すなわち、隣接セル情報生成部１２は、対象基地局がハイブリッドモードで動作する場合には、登録された無線端末装置２０２の測定情報および登録されていない無線端末装置２０２の測定情報を重み付けし、重み付けした結果に基づいて隣接セル情報を生成する。
【０２７４】
このような構成により、登録された無線端末装置２０２および非登録の無線端末装置２０２の別に応じた適切な隣接セル情報を生成することができる。
【０２７５】
その他の構成および動作は第１の実施の形態に係る無線通信システムと同様であるため、ここでは詳細な説明を繰り返さない。
【０２７６】
次に、本発明の他の実施の形態について図面を用いて説明する。なお、図中同一または相当部分には同一符号を付してその説明は繰り返さない。
【０２７７】
＜第４の実施の形態＞
本実施の形態は、第１〜第３の実施の形態に係る無線通信システムと比べて無線基地局装置の代わりにゲートウェイ装置が隣接セル処理装置として動作する無線通信システムに関する。以下で説明する内容以外は第１〜第３の実施の形態に係る無線通信システムと同様である。
【０２７８】
図２２は、本発明の第４の実施の形態に係る無線通信システムの構成を示す図である。
図２２を参照して、無線通信システム３０２は、無線基地局装置１０１Ａ，１０１Ｂ，１０１Ｃ，１０１Ｄ，１０１Ｅと、ゲートウェイ装置２０３と、上位装置２０５とを備える。
【０２７９】
無線通信システム３０２では、無線通信システム３０１と同様に、無線基地局装置１０１Ａ，１０１Ｃ，１０１Ｄ，１０１Ｅがフェムト基地局であり、無線基地局装置１０１Ｂがマクロ基地局である。
【０２８０】
以下、無線基地局装置１０１Ａ，１０１Ｃ，１０１Ｄ，１０１Ｅの各々をフェムト基地局１０１と称する場合がある。また、図２２では、１つのマクロ基地局と、４つのフェムト基地局とを代表的に示しているが、さらに多数のマクロ基地局およびフェムト基地局が設けられてもよい。
【０２８１】
ゲートウェイ装置２０３は、無線基地局装置１０１Ａ，１０１Ｃ，１０１Ｄ，１０１Ｅとコアネットワーク２０４における上位装置２０５との間で送信される種々の通信データの中継処理等を行なう。
【０２８２】
図２３は、本発明の第４の実施の形態に係るゲートウェイ装置の構成を示す図である。
図２３を参照して、ゲートウェイ装置２０３は、基地局側送受信部８１と、データ処理部８２と、コアネットワーク側送受信部８３とを備える。
【０２８３】
基地局側送受信部８１は、データ処理部８２から受けた通信データを各フェムト基地局１０１へ送信し、また、各フェムト基地局１０１から受信した通信データをデータ処理部８２へ出力する。
【０２８４】
データ処理部８２は、基地局側送受信部８１から受けた通信データに種々の処理を行ない、コアネットワーク側送受信部８３へ出力し、また、コアネットワーク側送受信部８３から受けた通信データに種々の処理を行ない、基地局側送受信部８１へ出力する。
【０２８５】
コアネットワーク側送受信部８３は、データ処理部８２から受けた通信データをコアネットワーク２０４における上位装置２０５へ出力し、また、コアネットワーク２０４における上位装置２０５から受信した通信データをデータ処理部８２へ出力する。
【０２８６】
本発明の第４の実施の形態に係る無線通信システムでは、ゲートウェイ装置２０３が、その配下の各フェムト基地局を監視して隣接セル情報の最適化を行なう。
【０２８７】
図２４は、本発明の第４の実施の形態に係るゲートウェイ装置におけるデータ処理部の構成を示す図である。
【０２８８】
図２４を参照して、データ処理部８２は、測定情報取得部２１と、隣接セル情報生成部２２と、隣接セル情報送信部２３とを含む。
【０２８９】
測定情報取得部２１は、対象基地局以外の無線基地局装置１０１から送信される無線信号の測定結果を示す測定情報を各フェムト基地局１０１からの情報に基づいて取得する。
【０２９０】
隣接セル情報生成部２２は、測定情報取得部２１によって取得された測定情報に基づいて、対象基地局以外の無線通信システム３０２における複数の無線基地局装置のうち、対象基地局の周辺に設置された１または複数の無線基地局装置を示す隣接セル情報を生成する。
【０２９１】
隣接セル情報送信部２３は、隣接セル情報生成部２２によって生成された隣接セル情報を対象基地局へ送信する。
【０２９２】
隣接セル情報生成部２２による隣接セル情報の生成方法の内容は、本発明の第１〜第３の実施の形態に係る隣接セル情報生成部１２による隣接セル情報の生成方法とたとえば同様である。
【０２９３】
図２５は、本発明の第４の実施の形態に係るゲートウェイ装置が隣接セル情報を通知する方法を示す図である。
【０２９４】
図２５を参照して、ゲートウェイ装置２０３は、フェムト基地局１０１Ａ，１０１Ｃ，１０１Ｄ，１０１Ｅに対して、それぞれ対応の隣接セル情報を通知する。
【０２９５】
なお、本発明の第４の実施の形態に係るゲートウェイ装置は、無線基地局装置と別個に設けられる構成であるとしたが、これに限定するものではない。ゲートウェイ装置２０３が、無線通信システム３０２における各無線基地局装置のうちの少なくとも１つに含まれる構成であってもよい。この場合、ゲートウェイ装置２０３を搭載する無線基地局装置は、自己の形成するセルに存在する無線端末装置２０２、および他の無線基地局装置からの情報に基づいて測定情報を取得する。そして、ゲートウェイ装置２０３は、生成した隣接セル情報を、自己の形成するセルに存在する無線端末装置２０２、および他の無線基地局装置へ通知する。
【０２９６】
また、本発明の第１〜第４の実施の形態に係る無線通信システムでは、隣接セル情報生成部は、測定情報取得部によって取得された測定情報に基づいて、対象基地局以外の複数の無線基地局装置のうち、対象基地局の周辺に設置された１または複数の無線基地局装置を示す隣接セル情報を生成する構成であるとしたが、これに限定するものではない。隣接セル情報生成部は、無線基地局装置から送信される無線信号の測定結果を示す測定情報に加えて、無線端末装置のハンドオーバ動作履歴を示すハンドオーバ情報、および無線基地局装置の属性を示す属性情報の組み合わせに基づいて隣接セル情報を生成する構成であってもよい。ハンドオーバ情報としては、たとえば、ハンドオーバ回数およびハンドオーバ成功率が考えられる。また、属性情報としては、たとえば、無線基地局装置がフェムト基地局であるかマクロ基地局であるかの情報が考えられる。
【０２９７】
また、本発明の第４の実施の形態に係るゲートウェイ装置と同様に、本発明の第１〜第３の実施の形態において、無線基地局装置１０１の代わりに上位装置２０５が隣接セル処理装置として動作する構成であってもよい。
【０２９８】
その他の構成および動作は第１〜第４の実施の形態に係る無線通信システムと同様であるため、ここでは詳細な説明を繰り返さない。
【０２９９】
なお、無線基地局装置が複数のセクタを有している場合、すなわち１つのセルが複数のセクタに分割されている場合には、隣接セル情報において１つのセクタを１つの無線基地局装置として扱えばよく、本発明は、このような場合にも適用される。
【０３００】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０３０１】
１１  測定情報取得部
１２  隣接セル情報生成部
１３  隣接セル情報送信部
１４  電力測定指示部
８１  基地局側送受信部
８２  データ処理部
８３  コアネットワーク側送受信部
９１  アンテナ
９２  サーキュレータ
９３  無線受信部
９４  無線送信部
９５  信号処理部
９６  受信信号処理部
９７  送信信号処理部
１０１Ａ，１０１Ｂ，１０１Ｃ，１０１Ｄ，１０１Ｅ  無線基地局装置
２０２  無線端末装置
２０３  ゲートウェイ装置
２０５  上位装置
３０１  無線通信システム
ＦＣＡ，ＦＣＣ，ＦＣＤ，ＦＣＥ  フェムトセル
ＭＣＢ  マクロセル
【図１】
2012060432.tif 000003
【図２】
2012060432.tif 000004
【図３】
2012060432.tif 000005
【図４】
2012060432.tif 000006
【図５】
2012060432.tif 000007
【図６】
2012060432.tif 000008
【図７】
2012060432.tif 000009
【図８】
2012060432.tif 000010
【図９】
2012060432.tif 000011
【図１０】
2012060432.tif 000012
【図１１】
2012060432.tif 000013
【図１２】
2012060432.tif 000014
【図１３】
2012060432.tif 000015
【図１４】
2012060432.tif 000016
【図１５】
2012060432.tif 000017
【図１６】
2012060432.tif 000018
【図１７】
2012060432.tif 000019
【図１８】
2012060432.tif 000020
【図１９】
2012060432.tif 000021
【図２０】
2012060432.tif 000022
【図２１】
2012060432.tif 000023
【図２２】
2012060432.tif 000024
【図２３】
2012060432.tif 000025
【図２４】
2012060432.tif 000026
【図２５】
2012060432.tif 000027